(57)【要約】本発明の雑音抽出装置は、音を収音するための第１および第２のマイクロホンユニット（１１、１２）と、前記第１および第２のマイクロホンユニット（１１、１２）からの出力信号を指向性合成して、雑音感度が異なるが、音圧に対する指向特性が一致し、かつ、音響的中心位置が一致する、２つの指向性合成信号を生成する指向性合成部と、前記２つの指向性合成信号の一方から他方を減算することで、一方の指向性合成信号から、音響成分を打ち消すことにより、雑音成分を抽出する音響相殺部とを備える。
2009044562.tif 000002
【特許請求の範囲】
【請求項１】
音を収音するための第１および第２のマイクロホンユニットと、
前記第１および第２のマイクロホンユニットからの出力信号を指向性合成して、雑音感度が異なるが、音圧に対する指向特性が一致し、かつ、音響的中心位置が一致する、２つの指向性合成信号を生成する指向性合成部と、
前記２つの指向性合成信号の一方から他方を減算することで、前記一方の指向性合成信号から、音響成分を打ち消すことにより、雑音成分を抽出する音響相殺部とを備える
雑音抽出装置。
【請求項２】
前記指向性合成部は、前記第１と第２のマイクロホンユニットからの出力信号を指向性合成する第１、第２および第３の指向性合成部と、前記第１、第２および第３の指向性合成部それぞれからの出力信号を絶対値演算して絶対値信号を出力する第１、第２および第３の信号絶対値部とを備え、
音響相殺部は、前記第１の信号絶対値部から出力された絶対値信号を前記一方の指向性合成信号として取得し、前記第２および第３の信号絶対値部から出力された絶対値信号から前記他方の指向性合成信号を生成し、前記一方の指向性合成信号から前記他方の指向性合成信号を減算することによって、前記音響成分を打ち消す相殺演算部とを備える、
請求項１記載の雑音抽出装置。
【請求項３】
前記第２および第３の指向性合成部は、前記第１の指向性合成部に比較して、前記雑音成分に対する感度が高い、または、前記音響成分に対する感度が低い
請求項２記載の雑音抽出装置。
【請求項４】
前記第２および第３の指向性合成部は、音圧傾度型の指向性合成方法に従い、それぞれの出力信号が持つ指向性パタンが相反する方向になるよう指向性合成し、
前記第２および第３の指向性合成部それぞれからの出力信号が持つ指向性パタンの和と前記第１の指向性合成部からの出力信号が持つ指向性パタンとは等しい
請求項２記載の雑音抽出装置。
【請求項５】
前記第１の指向性合成部は、前記第１および第２のマイクロホンユニットからの出力信号を信号加算することにより加算型の指向性合成を行い、
前記第２の指向性合成部は、前記第２のマイクロホンユニットからの出力信号に所定の遅延を与え、第１のマイクロホンユニットの出力信号から減算することにより音圧傾度型の指向性合成を行い、
前記第３の指向性合成部は、前記第１のマイクロホンユニットからの出力信号に所定の遅延を与え、第２のマイクロホンユニットの出力信号から減算することにより音圧傾度型の指向性合成を行う
請求項２記載の雑音抽出装置。
【請求項６】
前記雑音抽出装置は、さらに、
前記第１、第２および第３の指向性合成部それぞれからの出力信号の信号帯域を制限して第１、第２および第３の信号絶対値演算部にそれぞれに出力する第１、第２および第３の信号帯域制限部を備える
請求項２記載の雑音抽出装置。
【請求項７】
前記音響相殺部は、抽出された前記雑音成分を示す出力信号を出力し、
前記雑音抽出装置は、さらに、
前記音響相殺部からの出力信号と、前記第１、第２および第３の指向性合成部の何れかからの出力信号とから、雑音波形信号を復元して出力する信号復元部を備える
請求項２記載の雑音抽出装置。
【請求項８】
前記信号復元部は、前記第１、第２および第３の指向性合成部の何れかからの出力信号の符号と、前記信号相殺演算部からの出力信号との乗算によって雑音波形信号を復元する
請求項７記載の雑音抽出装置。
【請求項９】
前記雑音抽出装置は、さらに、
前記第１、第２および第３の指向性合成部の前段または後段部分に、時間領域から周波数領域への変換を行う時間周波数変換部を備え、
前記信号相殺演算部は、周波数毎に、前記雑音信号を抽出する
請求項２記載の雑音抽出装置。
【請求項１０】
前記雑音抽出装置は、さらに、前記信号相殺演算部からの出力信号と、前記第１、第２および第３の指向性合成部の何れかからの出力信号とから、雑音波形信号を復元して出力する信号復元部を備え、
前記信号復元部は、前記第１、第２および第３の指向性合成部の何れかからの出力信号の周波数毎の位相情報と、前記信号相殺演算部からの出力信号の周波数毎の振幅情報とを用いて、雑音波形信号を復元する
請求項９記載の雑音抽出装置。
【請求項１１】
前記雑音抽出装置は、振動センサとして構成される
請求項１記載の雑音抽出装置。
【請求項１２】
前記雑音抽出装置は、前記一方の指向性合成信号から音響成分を抽出する
請求項１１記載の雑音抽出装置。
【請求項１３】
請求項１に記載の雑音抽出装置と、
前記第１および第２のマイクロホンユニットからの出力信号から、前記雑音抽出装置により抽出された前記雑音信号の成分を減算することにより雑音抑圧された音響信号を出力する音響出力部とを備える
マイクロホン装置。
【請求項１４】
音を収音するための第１および第２のマイクロホンユニットを備える雑音抽出装置の雑音抽出方法であって、
前記第１および第２のマイクロホンユニットからの出力信号を指向性合成して、雑音感度が異なるが、音圧に対する指向特性が一致し、かつ、音響的中心位置が一致する、２つの指向性合成信号を生成する指向性合成ステップと、
前記２つの指向性合成信号の一方から他方を減算することで、前記一方の指向性合成信号から、音響成分を打ち消すことにより、雑音成分を抽出する音響相殺ステップとを含む
雑音抽出方法。
【請求項１５】
音を収音するための第１および第２のマイクロホンユニットを備え、雑音成分を抽出する集積回路であって、
前記第１および第２のマイクロホンユニットからの出力信号を指向性合成して、雑音感度が異なるが、音圧に対する指向特性が一致し、かつ、音響的中心位置が一致する、２つの指向性合成信号を生成する指向性合成部と、
前記２つの指向性合成信号の一方から他方を減算することで、前記一方の指向性合成信号から、音響成分を打ち消すことにより、雑音成分を抽出する音響相殺部とを備える
集積回路。
【請求項１６】
請求項１３に記載のマイクロホン装置と、
対象物を撮像するカメラ部と
を備える
ビデオカメラ。
【発明の詳細な説明】
【技術分野】
【０００１】
本発明は、雑音抽出装置に関し、特に、２つ以上のマイクロホンユニットからの信号を信号処理して出力を得るマイクロホン装置の振動雑音を抽出する、マイクロホンを用いた雑音抽出装置に関するものである。
【背景技術】
【０００２】
２つ以上のマイクロホンユニットからの信号を信号処理して出力を得るマイクロホン装置があり、そのマイクロホン装置における信号処理として、例えば音圧傾度型の指向性合成方法がある。指向性合成方法は、小型で指向性が形成できるメリットを持つ一方、指向性合成時に音圧感度が低下してしまうデメリットをもつ。すなわち、指向性合成方法では、指向性が形成できるが、音圧に対する感度は、マイクロホンユニットで発生する振動雑音の雑音レベルに比較して低下してしまう。そのため、指向性合成方法では、相対的に振動雑音の問題が大きくなる。【０００３】
また、従来のマイクロホンの振動雑音の対策として、１）フローティング、２）振動センサを使ったキャンセリング、３）マイクロホンユニットからの信号間のキャンセリング、などが存在する。以下、振動雑音の問題に対する対策方法として、本発明に関連が深い２）振動センサを使ったキャンセリングについて説明する。【０００４】
図１０は、振動雑音に対する従来の対策方法を説明するための図である。図１０に示すマイクロホン装置８００は、マイクロホンユニット１、音孔が密閉されているマイクロホンユニット２、マイクロホンユニット１とマイクロホンユニット２とを保持する筐体３、マイクロホンユニット１からの出力信号とマイクロホンユニット２からの出力信号が入力され、入力されたそれら信号の減算を行う信号減算部４とを備える。【０００５】
以上のように構成されたマイクロホン装置８００が行う振動雑音に対する対策処理についての動作を次に説明する。【０００６】
マイクロホンユニット１は、主として目的の音波を収音するために設けられ、収音した目的の音波の信号を出力する。しかし、実用上は、目的の音波以外の要因による振動によってもマイクロホンユニット１の振動板が振動され、その振動により発生する振動雑音が収音する目的の音波の信号に重畳されてマイクロホンユニット１から出力される。【０００７】
この振動雑音を除去するために、図１０に示すようにマイクロホンユニット２が設けられている。マイクロホンユニット２は、音波に対する感度が十分に低下するように音孔を塞がれて、振動センサとして動作するようになっている。また、マイクロホンユニット２は、マイクロホンユニット１と同一の筐体３に固定されている。これは、できるだけ目的の音波以外の要因による振動がマイクロホンユニット１およびマイクロホンユニット２に対して同一に発生するようにするためである。【０００８】
このようにして、マイクロホンユニット２は、マイクロホンユニット１にも発生し、目的の音波以外の要因による振動により発生する振動雑音を収音する。【０００９】
従って、マイクロホンユニット２からの出力信号は、マイクロホンユニット１からの出力信号の振動雑音成分と等しいとし、信号減算部４で減算処理を行うことで、マイクロホンユニット１の出力信号に重畳されている振動成分がキャンセルできる。【００１０】
それにより、マイクロホン装置８００は、信号減算部４から、マイクロホン装置８００が収音したい音波の信号の出力が得られることになる。
【特許文献１】特開昭５６−２５８９２号公報
【発明の開示】
【発明が解決しようとする課題】
【００１１】
しかしながら、上記従来の構成では、マイクロホンユニット１とマイクロホンユニット２とが同一筐体３に固定されているものの、２つのマイクロホンユニットから出力される振動雑音は同一の信号にならない。すなわち、上記従来の構成では、２つのマイクロホンユニットに実質的には同一の振動が伝わらないだけでなく、マイクロホンユニット１とマイクロホンユニット２との振動感度に関する個体差などがあるため、２つのマイクロホンユニットから出力される振動雑音は同一の信号にならない。従って、信号減算部４において、マイクロホンユニット１の出力信号に重畳されている振動成分をキャンセルすることが難しく、十分な効果が得られない。すなわち、マイクロホン装置８００は、信号減算部４から、マイクロホン装置８００が収音したい音波以外に振動雑音が含まれる信号の出力を得てしまう。【００１２】
さらに、上記従来の構成では、目的の音波を収音するマイクロホンユニット１とは別に振動成分をキャンセルするのに用いる振動センサ（ここではマイクロホンユニット２）を設ける必要があり、実装上の制約となる。【００１３】
そこで、本発明は、上述の事情を鑑みてなされたもので、音波を収音するマイクロホン装置に、新たに振動センサを追加することなく雑音を抽出する雑音抽出装置を提供することを目的とする。
【課題を解決するための手段】
【００１４】
上記目的を達成するために、本発明に係る雑音抽出装置は、音を収音するための第１および第２のマイクロホンユニットと、前記第１および第２のマイクロホンユニットからの出力信号を指向性合成して、雑音感度が異なるが、音圧に対する指向特性が一致し、かつ、音響的中心位置が一致する、２つの指向性合成信号を生成する指向性合成部と、前記２つの指向性合成信号の一方から他方を減算することで、前記一方の指向性合成信号から、音響成分を打ち消すことにより、雑音成分を抽出する音響相殺部とを備えることを特徴とする。【００１５】
ここで、前記指向性合成部は、前記第１と第２のマイクロホンユニットからの出力信号を指向性合成する第１、第２および第３の指向性合成部と、前記第１、第２および第３の指向性合成部それぞれからの出力信号を絶対値演算して絶対値信号を出力する第１、第２および第３の信号絶対値部とを備え、音響相殺部は、前記第１の信号絶対値部から出力された絶対値信号を前記一方の指向性合成信号として取得し、前記第２および第３の信号絶対値部から出力された絶対値信号から前記他方の指向性合成信号を生成し、前記一方の指向性合成信号から前記他方の指向性合成信号を減算することによって、前記音響成分を打ち消す相殺演算部とを備えてもよい。【００１６】
また、前記第２および第３の指向性合成部は、前記第１の指向性合成部に比較して、前記雑音成分に対する感度が高い、または、前記音響成分に対する感度が低くてもよい。【００１７】
また、前記第２および第３の指向性合成部は、音圧傾度型の指向性合成方法に従い、それぞれの出力信号が持つ指向性パタンが相反する方向になるよう指向性合成し、前記第２および第３の指向性合成部それぞれからの出力信号が持つ指向性パタンの和と前記第１の指向性合成部からの出力信号が持つ指向性パタンとは等しくてもよい。【００１８】
また、前記第１の指向性合成部は、前記第１および第２のマイクロホンユニットからの出力信号を信号加算することにより加算型の指向性合成を行い、前記第２の指向性合成部は、前記第２のマイクロホンユニットからの出力信号に所定の遅延を与え、第１のマイクロホンユニットの出力信号から減算することにより音圧傾度型の指向性合成を行い、前記第３の指向性合成部は、前記第１のマイクロホンユニットからの出力信号に所定の遅延を与え、第２のマイクロホンユニットの出力信号から減算することにより音圧傾度型の指向性合成を行ってもよい。【００１９】
また、前記雑音抽出装置は、さらに、前記第１、第２および第３の指向性合成部それぞれからの出力信号の信号帯域を制限して第１、第２および第３の信号絶対値演算部にそれぞれに出力する第１、第２および第３の信号帯域制限部を備えてもよい。【００２０】
また、前記音響相殺部は、抽出された前記雑音成分を示す出力信号を出力し、前記雑音抽出装置は、さらに、前記音響相殺部からの出力信号と、前記第１、第２および第３の指向性合成部の何れかからの出力信号とから、雑音波形信号を復元して出力する信号復元部を備えてもよい。【００２１】
また、前記信号復元部は、前記第１、第２および第３の指向性合成部の何れかからの出力信号の符号と、前記信号相殺演算部からの出力信号との乗算によって雑音波形信号を復元してもよい。【００２２】
また、前記雑音抽出装置は、さらに、前記第１、第２および第３の指向性合成部の前段または後段部分に、時間領域から周波数領域への変換を行う時間周波数変換部を備え、前記信号相殺演算部は、周波数毎に、前記雑音信号を抽出してもよい。【００２３】
また、前記雑音抽出装置は、さらに、前記信号相殺演算部からの出力信号と、前記第１、第２および第３の指向性合成部の何れかからの出力信号とから、雑音波形信号を復元して出力する信号復元部を備え、前記信号復元部は、前記第１、第２および第３の指向性合成部の何れかからの出力信号の周波数毎の位相情報と、前記信号相殺演算部からの出力信号の周波数毎の振幅情報とを用いて、雑音波形信号を復元してもよい。【００２４】
また、前記雑音抽出装置は、振動センサとして構成されてもよい。【００２５】
また、前記雑音抽出装置は、前記一方の指向性合成信号から音響成分を抽出してもよい。【００２６】
なお、本発明は、装置として実現するだけでなく、このような装置が備える処理手段を備える集積回路として実現したり、その装置を構成する処理手段をステップとする方法として実現したり、それらステップをコンピュータに実行させるプログラムとして実現したりすることもできる。
【発明の効果】
【００２７】
本発明によれば、音波を収音するマイクロホン装置に、新たに振動センサを追加することなく雑音を抽出する雑音抽出装置を実現することができる。【００２８】
それにより２つ以上のマイクロホンユニットから信号合成によって出力信号を得るマイクロホン装置に混入する振動雑音を正確に抽出する装置を実現することができる。【００２９】
具体的には、本発明では、マイクロホン装置が収音したい音波の出力信号を得るためのマイクロホンユニット自体から、振動ノイズを抽出する構成を用いる。また、抽出した振動ノイズは、マイクロホン装置に混入する振動ノイズと相関が高い。この抽出した振動ノイズを用いることでマイクロホンユニットに関する位置でのノイズ（マイクロホン装置に混入する振動ノイズ）を正確に抑圧または制御することができる。【００３０】
また、本発明では、マイクロホンユニットに含まれる振動ノイズを抽出する抽出方法としては、振動感度が異なる指向性合成出力を使って、全方向からの音波を常時打消しながら、振動ノイズのみを抽出する。それにより音波の強さに影響を受けることなく、正確な振動ノイズレベルを検出でき、振動ノイズ波形を推定することができる。【００３１】
なお、本発明は、収音した際の音波による信号を相殺して、ノイズのみを抽出する方法である。従って、音波とは信号の振る舞いが異なり、かつ、振動ノイズと性質が類似している、例えば風雑音に対しても同様の効果が得られる。ここで、風雑音とは、マイクロホンに風が当たって発生するノイズである。【００３２】
また、本発明によれば、新たに振動センサを追加する必要がない。目的の音波を収音する目的で設けられた複数のマイクロホンユニットを用いて、音波に対する収音信号の影響を受けることなく、振動ノイズ成分のみを抽出することができる。それにより、複数のマイクロホンユニットを用いて、それを備えるマイクロホン装置に混入する振動ノイズを打消すことが高精度に行えるので、複数のマイクロホンユニットを備え、耐振動性に優れたマイクロホン装置を実現できるようになる。【００３３】
なお、本発明は、装置として実現するだけでなく、このような装置が備える処理手段を備える集積回路として実現したり、その装置を構成する処理手段をステップとする方法として実現したり、それらステップをコンピュータに実行させるプログラムとして実現したりすることもできる。
【図面の簡単な説明】
【００３４】
【図１】図１は、本発明の実施の形態１におけるマイクロホンを用いた雑音抽出装置の構成を示すブロック図である。
【図２】図２は、本発明の実施の形態１における出力信号の信号波形例と指向特性と音波に対する感度の関係を示す表である。
【図３】図３は、本発明の実施の形態１におけるマイクロホンユニット単体の振動ノイズレベルを基準にした振動抽出感度を示す図である。
【図４】図４は、本発明の実施の形態２におけるマイクロホンを用いた雑音抽出装置の構成を示すブロック図である。
【図５】図５は、本発明の実施の形態３におけるマイクロホンを用いた雑音抽出装置の構成を示すブロック図である。
【図６】図６は、本発明の実施の形態４におけるマイクロホンを用いた雑音抽出装置の構成を示すブロック図である。
【図７】図７は、本発明の実施の形態５における雑音抽出装置を用いたマイクロホン装置の構成を示すブロック図である。
【図８】図８は、本発明の実施の形態５におけるマイクロホン装置の機能構成を示すブロック図である。
【図９】図９は、本発明のマイクロホン装置が利用可能なアプリケーションの例を示す図である。
【図１０】図１０は、従来の振動雑音に対する従来の対策方法を説明するための図である。
【符号の説明】
【００３５】
４、３２、４２、８２、９９    信号減算部
１１    第１のマイクロホンユニット
１２    第２のマイクロホンユニット
２０    第１の指向性合成部
２２、８１    信号加算部
２３、９８    信号増幅部
３０    第２の指向性合成部
３１、４１、９７    信号遅延部
３３、４３    周波数特性補正部
４０    第３の指向性合成部
５１    第１の時間周波数変換部
５２    第２の時間周波数変換部
５３    第３の時間周波数変換部
６１    第１の信号帯域制限部
６２    第２の信号帯域制限部
６３    第３の信号帯域制限部
７１    第１の信号絶対値演算部
７２    第２の信号絶対値演算部
７３    第３の信号絶対値演算部
８０    信号相殺演算部
９０、９００    信号復元部
９１    信号符号抽出部
９２    信号乗算部
９３    信号位相抽出部
９４    信号振幅位相合成部
９５    周波数時間変換部
１００、２００、３００、４００  雑音抽出装置
５００、６００、８００    マイクロホン装置
【発明を実施するための最良の形態】
【００３６】
以下本発明の実施の形態について、図面を参照しながら説明する。【００３７】
（実施の形態１）
図１は、本発明の実施の形態１におけるマイクロホンを用いた雑音抽出装置の構成を示すブロック図である。なお、以降の説明においては、時間領域の信号については信号名の頭文字を小文字とし、周波数領域の信号については信号名の頭文字を大文字として説明を行う。また、ｘｍ０（ｎ）をｘｍ０と表記し、Ｘｍ０（ω）をＸｍ０と表記して説明を行う。【００３８】
図１に示す雑音抽出装置１００は、第１のマイクロホンユニット１１および第２のマイクロホンユニット１２を備え、第１の指向性合成部２０、第２の指向性合成部３０、第３の指向性合成部４０、第１の信号絶対値演算部７１、第２の信号絶対値演算部７２、第３の信号絶対値演算部７３および信号相殺演算部８０を備える。【００３９】
また、第１の指向性合成部２０は、信号加算部２２および信号増幅部２３を備える。第２の指向性合成部３０は、信号遅延部３１、信号減算部３２および周波数特性補正部３３を備える。第３の指向性合成部４０は、信号遅延部４１、信号減算部４２および周波数特性補正部４３を備える。【００４０】
第１の指向性合成部２０は、第１のマイクロホンユニット１１からの出力信号ｕｍ０と、第２のマイクロホンユニット１２からの出力信号ｕｍ１とが入力される。入力された信号ｕｍ０とｕｍ１とに対して加算型の指向性合成を行い、出力信号ｘｍ０を出力する。【００４１】
第２の指向性合成部３０は、第１のマイクロホンユニット１１からの出力信号ｕｍ０と、第２のマイクロホンユニット１２からの出力信号ｕｍ１とが入力される。入力された信号ｕｍ０とｕｍ１とに対して音圧傾度型の指向性合成を行い、出力信号ｘｍ１を出力する。【００４２】
第３の指向性合成部４０は、第１のマイクロホンユニット１１からの出力信号ｕｍ０と、第２のマイクロホンユニット１２からの出力信号ｕｍ１とが入力される。入力された信号ｕｍ０とｕｍ１とに対して音圧傾度型の指向性合成を行い、出力信号ｘｍ２を出力する。【００４３】
第１の信号絶対値演算部７１は、第１の指向性合成部２０からの出力信号ｘｍ０の絶対値（以下、第１出力信号と記載。）を演算して出力する。【００４４】
第２の信号絶対値演算部７２は、同様に、第２の指向性合成部３０からの出力信号ｘｍ１の絶対値（以下、第２出力信号と記載。）を演算して出力する。【００４５】
第３の信号絶対値演算部７３は、同様に、第３の指向性合成部４０からの出力信号ｘｍ２の絶対値（以下、第３出力信号と記載。）を演算して出力する。【００４６】
信号相殺演算部８０は、第１の信号絶対値演算部７１からの第１出力信号、第２の信号絶対値演算部７２からの第２出力信号、および、第３の信号絶対値演算部７３からの第３出力信号が入力される。信号相殺演算部８０は、第１出力信号と第２出力信号と第３出力信号とから、音波に対する音響信号成分を相殺する演算を行い、例えば振動雑音の雑音信号成分の出力信号ｎｖ１を出力する。【００４７】
なお、上述した各構成部は、物理的には第１のマイクロホンユニット１１および第２のマイクロホンユニット１２の出力を受けたプロセッサ上で実行される機能として実装されてもよい。【００４８】
以上のように、雑音抽出装置１００は構成される。【００４９】
次に、雑音抽出装置１００の動作の説明をする。以下の説明では、振動ノイズに関して述べる。【００５０】
まず、動作の概要を説明する。雑音抽出装置１００では、本来は音を収音するためのマイクロホンを使って、そのマイクロホンに加わる振動ノイズ成分を抽出する。具体的には、雑音抽出装置１００は、振動感度が異なり、かつ、音圧に対する指向特性と音響的中心位置とが一致している出力信号であって、指向性合成された出力信号同士を減算することで、全ての方向から到来する音波に対する信号を相殺して（音波を打ち消して）、振動ノイズ成分のみを抽出する。【００５１】
ここで、振動感度が低い（音圧感度が高い）すなわち振動に強いマイクロホンの出力信号として、第１の指向性合成部２０からの出力信号（第１出力信号）を用いる。また、振動感度が高い（音圧感度が低い）すなわち振動に弱いマイクロホンの出力信号として第２の指向性合成部３０と第３の指向性合成部４０とからの複数の出力信号（第２出力信号と第３出力信号）を演算合成した出力信号（合成出力信号）を用いる。【００５２】
以下、音波の打ち消しが行われ振動ノイズの抽出が行われる雑音抽出装置１００の処理について詳細に説明する。【００５３】
第１の指向性合成部２０では、まず、信号加算部２２は、第１のマイクロホンユニット１１からの出力信号ｕｍ０と第２のマイクロホンユニット１２からの出力信号ｕｍ１とを加算した指向性合成信号を信号増幅部２３に出力する。次に、信号増幅部２３は、入力されたその指向性合成信号のゲインを調整し、指向性合成出力信号ｘｍ０を出力する。【００５４】
なお、信号増幅部２３のゲインを１として以降の説明を行う。【００５５】
従って、第１の指向性合成部２０からの出力信号は（数１）のように示せる。ここで、Ｘｍ０（ω）、Ｕｍ０（ω）、Ｕｍ１（ω）は、時間領域で表現される信号ｘｍ０（ｎ）、ｕｍ０（ｎ）、ｕｍ１（ｎ）を周波数領域で表現されたものである。【００５６】
（数１）Ｘｍ０（ω）＝Ｕｍ０（ω）＋Ｕｍ１（ω）【００５７】
次に、第２の指向性合成部３０では、第２のマイクロホンユニット１２からの出力信号ｕｍ１を、信号遅延部３１において時間τ遅延させて、信号減算部３２において第１のマイクロホンユニット１１からの出力信号ｕｍ０から減算することで、指向性を形成する。ここで、第２の指向性合成部３０で形成される指向特性は、指向軸正面が２つのマイクロホンユニット（第１のマイクロホンユニット１１および第２のマイクロホンユニット１２）を結ぶ線上において第１のマイクロホンユニット１１の方向に向いたものとなる。【００５８】
第２の指向性合成部３０では、遅延時間τを（数２）とすることで、カーディオイド型の単一指向特性を持つように指向性を形成することができる。【００５９】
（数２）τ＝ｄ／ｃ（ただし、ｄはマイクロホンユニット間隔、ｃは音速）【００６０】
また、第２の指向性合成部３０では、周波数特性補正部３３は、信号減算部３２から入力された出力信号の周波数特性を補正し、出力信号ｘｍ１を出力する。ここで、補正特性として、例えば（数３）で示す特性を用いる。それにより、信号減算部３２から入力された出力信号の周波数特性、すなわち低音域にかけて６ｄＢ／ｏｃｔで減衰する音圧感度を、平坦な特性に補正することができる。【００６１】
【数３】
2009044562.tif 000003
【００６２】
ただし、Ａは、実際にデジタルフィルタなどを用いて補正部を実現する際に発振防止のために設ける定数である。ここではＡは１に近く、かつ、１より小さな値であるとする。以降の説明では、理論上Ａ≒１と考えて、Ａ＝１として説明する。なお、実用上は、必要周波数帯域の低域限界によって設定値を決める。【００６３】
以上から、第２の指向性合成部３０からの出力信号ｘｍ１を式で示すと（数４）になる。【００６４】
【数４】
2009044562.tif 000004
【００６５】
なお、（数４）は、一般的な単一指向性合成を式で表したものになっている。【００６６】
次に、第３の指向性合成部４０では、第１のマイクロホンユニット１１からの出力信号ｕｍ０を、信号遅延部４１において時間τ遅延させて、信号減算部４２において第２のマイクロホンユニット１２からの出力信号ｕｍ１から減算することで、指向性を形成する。【００６７】
ここで、第３の指向性合成部４０で形成される指向特性は、指向軸正面が２つのマイクロホンユニット（第１のマイクロホンユニット１１および第２のマイクロホンユニット１２）を結ぶ線上において第２のマイクロホンユニット１２の方向に向いたものとなる。第３の指向性合成部４０では、第２の指向性合成部３０の場合と同様にして、遅延時間τを（数２）とすることで、カーディオイド型の単一指向性を持つように指向性を形成することができる。【００６８】
また、第３の指向性合成部４０では、周波数特性補正部４３は、信号減算部４２から入力された出力信号の周波数特性を補正し、出力信号ｘｍ２を出力する。ここで、第２の指向性合成部３０の場合と同様にして、補正特性には（数３）を用いる。以上から、第３の指向性合成部４０からの出力信号ｘｍ２を式で示すと（数５）になる。【００６９】
【数５】
2009044562.tif 000005
【００７０】
図２は、実施の形態１における出力信号の信号波形例と指向特性と音波に対する感度との関係を示す表である。【００７１】
図２では、第１の指向性合成部２０からの出力信号ｘｍ０と、第２の指向性合成部３０からの出力信号ｘｍ１と、第３の指向性合成部４０からの出力信号ｘｍ２との関係とを示している。【００７２】
ここでは、第１のマイクロホンユニット１１と第２のマイクロホンユニット１２とが配置されるマイクユニット間隔（ユニット間距離）ｄを１０ｍｍとしている。このとき、加算型の指向性合成である第１の指向性合成部２０からの出力信号ｘｍ０は、ユニット間距離ｄに比較して、波長の長い周波数帯域（例えば１ｋＨｚ）ではほぼ無指向性になる。また、その出力信号ｘｍ０の音圧感度は、加算型であるのでその絶対値は高くなる。そのため、音圧感度に対する振動感度は相対的に低くなる。図２の表の（i）の信号波形の項に、第１の指向性合成部２０からの出力信号ｘｍ０の信号波形例を示す。図中、音波を示す部分と振動ノイズが発生している部分とに矢印を付けている。【００７３】
一方、音圧傾度型の指向性合成である第２の指向性合成部３０からの出力信号ｘｍ１は、指向性として、単一指向性を示す。また、出力信号ｘｍ１の音圧感度は、音圧傾度型（減算型）であるため絶対値は加算型に比して低くなる。そのため、音圧感度に対する振動感度は相対的に高くなる。図２の表の（ii）の信号波形の項に第２の指向性合成部３０からの出力信号ｘｍ１の信号波形例を示す。【００７４】
出力信号ｘｍ１は、振動感度が高いため、（i）に示す出力信号ｘｍ０に比較して振動ノイズ区間の信号レベルが高くなる。【００７５】
第３の指向性合成部４０からの出力信号ｘｍ２は、指向性として、ｘｍ１とは逆向きの単一指向性を示す。また、出力信号ｘｍ２の音圧感度は、同様に、音圧傾度型であるため低くなる。そのため、音圧感度に対する振動感度は相対的に高くなる。図２の表の（iii）の信号波形の項に第３の指向性合成部４０からの出力信号ｘｍ２の信号波形例を示す。【００７６】
出力信号ｘｍ２は、振動感度が高いため、第２の指向性合成部３０からの出力信号ｘｍ１と同様に第３の指向性合成部４０からの出力信号ｘｍ２も、（i）に示す出力信号ｘｍ０に比較して振動ノイズ区間の信号レベルが高くなる。【００７７】
以上の説明に基づいて、信号相殺演算部８０からの出力信号ｎｖ１を（数６）で示す。【００７８】
なお、出力信号ｎｖ１は、出力信号ｘｍ０と、出力信号ｘｍ１と、出力信号ｘｍ２とがそれぞれ入力され、第１の信号絶対値演算部７１との第２の信号絶対値演算部７２と第３の信号絶対値演算部７３とからそれぞれ第１出力信号と第２出力信号と第３出力信号とが出力される。出力された第１出力信号と第２出力信号と第３出力信号とを信号相殺演算部８０内部の信号加算部８１および信号減算部８２により演算されて出力された信号である。【００７９】
（数６）ｎｖ１＝｜ｘｍ１｜＋｜ｘｍ２｜−｜ｘｍ０｜【００８０】
なお、図１に示す信号相殺演算部８０では、合成出力信号（｜ｘｍ１｜＋｜ｘｍ２｜）を得て、その後第１出力信号（｜ｘｍ０｜）を減算している。しかし、（数６）と等価な出力を得られるものであれば（数６）に示すとおり、演算の順序は問わない。【００８１】
この演算を周波数領域で示し、上記の（数１）、（数４）および（数５）を代入すると、（数７）のようになる。【００８２】
【数７】
2009044562.tif 000006
【００８３】
次に、この（数７）を使って、この出力信号ｎｖ１における音波に対する感度と振動に対する感度とがどのようになるかを説明する。【００８４】
まず、音波に対する感度は、音波に対する出力信号Ｎｖ１（ω）で表せる。上述したように、第１の指向性合成部２０と第２の指向性合成部３０と第３の指向性合成部４０とによる指向性合成の方法は、指向性主ローブの極性が等しく、どれもがサイドローブを持たない合成方法である。また、音響的中心位置が２つのマイクユニットの中点で共通であることから、（数７）の絶対値内の符号（位相回転）は等しくなっている。従って、音波に対する出力信号Ｎｖ１（ω）は、絶対値を外した（数８）に等しくなる。【００８５】
【数８】
2009044562.tif 000007
【００８６】
（数８）より、音波に対する感度が、第１の指向性合成部２０と第２の指向性合成部３０と第３の指向性合成部４０からの出力信号が相殺しあう。それにより、実施の形態１の出力信号ｎｖ１は０となることが分かる。【００８７】
ただし、（数８）において、マイクユニット間隔ｄに対して１／２波長以下になる高域（ここでは、１７ｋＨｚ以上（ｃ／（２×ｄ）＝１７ｋＨｚ））では空間エリアジングが起き、この空間エリアジングが起きる周波数帯域では、極性の反転したサイドローブが発生するため、成り立たなくなる。ここで、空間エリアジングとは、正面方向以外の方向で音の行路差が波長の整数倍となり音が強めあい、不要な指向性が生じる現象である。従って、マイクユニット間隔ｄなどは、必要帯域によって適切な距離に設定したり、使用する周波数帯域を制限したりする必要がある。【００８８】
次に、振動ノイズについて説明する。第１のマイクロホンユニット１１と第２のマイクロホンユニット１２とに混入する振動ノイズには、それら２つのマイクロホンユニットの出力信号間で相関があるものと相関がないものが存在する。しかし、相関があるものについては音圧傾度型の指向性合成時に、音波同様に振動成分も減衰するため大きな問題にはならない。特に問題になるのは、相関がないものである。【００８９】
そのため、（数７）において、Ｕｍ０（ω）またはＵｍ１（ω）のどちらか一方を消去したものは、もう一方のマイクロホンユニットに起因する振動ノイズ出力であると考えることができる。【００９０】
従って、Ｕｍ１（ω）を消去して整理すると、第１のマイクロホンユニット１１からの出力信号ｕｍ０に関する振動ノイズの出力信号は（数９）のようになる。【００９１】
【数９】
2009044562.tif 000008
【００９２】
（数９）は第１のマイクロホンユニット１１に振動ノイズが発生した場合に、第１の指向性合成部２０から出力される振動ノイズの出力信号の量を｜Ｕｍ０（ω）｜としたときの出力信号Ｎｖ１（ω）のレベルを表している。【００９３】
図３は、本発明の実施の形態１におけるマイクロホンユニット単体の振動ノイズレベルを基準にした振動抽出感度を示す図である。【００９４】
図３は、（数９）の｛・｝の部分をグラフ化したものであり、低域ほど検出レベルが高まっている。【００９５】
図３のように低域ほど検出レベルが上昇しているのは、振動感度が高く振動を拾いやすい出力信号ｘｍ１および出力信号ｘｍ２に対して、周波数特性補正部３３および４３により（数３）で示される補正特性が加わっているためである。そのため、出力信号Ｎｖ１の特性は、出力信号ｘｍ１または出力信号ｘｍ２に含まれる振動ノイズの周波数特性に近くなる。【００９６】
以上のようにして、雑音抽出装置１００における音波に対する感度は、（数８）に示すように相殺される（音波が打ち消される）。雑音抽出装置１００に混入する振動ノイズに関しては、第１のマイクロホンユニット１１および第２のマイクロホンユニット１２で個別に発生する成分として（数９）に示すように、出力信号Ｎｖ１が振動ノイズの振幅値として得られる。【００９７】
図２の表の（iv）の信号波形の項には、信号相殺演算部８０からの出力信号ｎｖ１の信号波形例を示されている。図２に示すように、信号相殺演算部８０からの出力信号ｎｖ１は、音波に対する感度を持つことなく（音波を打ち消して）、振動ノイズ（振動ノイズの波形振幅情報）を抽出することができる。【００９８】
以上、本発明の実施の形態１における雑音抽出装置１００では、複数のマイクロホンユニット（第１のマイクロホンユニット１１および第２のマイクロホンユニット１２）を用いて、音波に対する収音信号の影響を受けることなく、振動ノイズ成分のみを抽出することができる。従って、複数のマイクロホンユニット（第１のマイクロホンユニット１１および第２のマイクロホンユニット１２）を用いて、それを備えるマイクロホン装置に混入する振動ノイズを打ち消す制御が高精度に行える。それにより、複数のマイクロホンユニットを備え、耐振動性に優れたマイクロホン装置が実現できる。【００９９】
また、雑音抽出装置１００では、複数の指向性合成部（第１の指向性合成部２０と第２の指向性合成部３０と第３の指向性合成部４０）の出力値を用いて振動成分の抽出ができる。つまり、信号相殺演算部８０での合成出力信号（信号加算部出力）が、第１の指向性合成部２０の出力信号である第１出力信号に比して、音響信号に対する振動成分を、相対的に多く含むことを利用して、雑音抽出装置１００では、振動成分の抽出を行う。それにより、本来は音波を捕らえる用途であるマイクロホンデバイスを、マイクロホンの機能だけでなく振動センサとして用いることができる。【０１００】
また、信号加算部８１からの出力信号が振動成分を抽出する属性を有する、すなわち第１出力信号と信号加算部８１からの出力信号とを減算することにより、振動成分を抽出できる。それにより、新たに専用のセンサを用いることなく本来は音波を捕らえる用途であるマイクロホンデバイスを、マイクロホンの機能だけでなく振動センサとして用いることができる。【０１０１】
なお、信号相殺演算部８０は、（数６）に示す加算結果と等価な出力を得られるものであれば、演算の順序は問わない。【０１０２】
また、本発明の実施の形態１では、説明を簡単にするため、第１の指向性合成部２０の出力は無指向性を示し、第２の指向性合成部３０および第３の指向性合成部４０の出力は単一指向性を示すと言う表現で説明をした。しかし、指向性パタンが一致していれば、上述した無指向性と単一指向性との組み合わせでなくても良い。例えば、本実施の形態１においても、高域限界の１７ｋＨｚ付近の周波数帯では、第１の指向性合成部２０と、第２の指向性合成部３０および第３の指向性合成部４０とからの出力信号の絶対値加算の指向性形状は無指向性ではなく双指向性形状となっているが、指向性パタンが一致していればよい。【０１０３】
また、上述ではマイクロホン装置に混入するノイズとして、振動ノイズに着目して説明を行った。しかし、本発明の実施の形態１で説明した抽出方法は、収音した際の音波による信号を相殺してノイズのみを抽出する方法である。従って、音波とは信号の振る舞いが異なり、かつ、振動ノイズと性質が類似している、例えば風雑音に対しても同様の効果が得られる。つまり、マイクロホン装置で課題となる風雑音についても、複数のマイクロホンユニットに対して無相関に風雑音が発生することから、動作は振動雑音と共通でよく、同様に適用できる。ここで、風雑音とは、マイクロホンに風が当たって発生するノイズである。従って、新たに専用のセンサを用いることなく本来は音波を捕らえる用途であるマイクロホンデバイスを、マイクロホンの機能だけでなく風雑音センサとして用いることができる。【０１０４】
また、本発明の実施の形態１では、マイクロホンユニットの数が２個の場合で構成される場合を説明したが、それに限定されない。３個以上となる複数マイクロホンユニットを用いて、音圧感度が異なり、かつ、指向特性パタン上で互いに信号を相殺するように（音波を打ち消して）、雑音成分のみを抽出するように、指向性合成出力を構成してもよい。【０１０５】
（実施の形態２）
本発明の実施の形態２について、以下説明する。【０１０６】
図４は、実施の形態２におけるマイクロホンを用いた雑音抽出装置の構成を示すブロック図である。図１と同様の要素には同一の符号を付しており、詳細な説明は省略する。【０１０７】
図４に示す雑音抽出装置２００は、第１のマイクロホンユニット１１および第２のマイクロホンユニット１２を備え、第１の指向性合成部２０、第２の指向性合成部３０、第３の指向性合成部４０、第１の信号帯域制限部６１、第２の信号帯域制限部６２、第３の信号帯域制限部６３、第１の信号絶対値演算部７１、第２の信号絶対値演算部７２、第３の信号絶対値演算部７３および信号相殺演算部８０を備える。【０１０８】
また、第１の指向性合成部２０は、信号加算部２２および信号増幅部２３を備える。第２の指向性合成部３０は、信号遅延部３１、信号減算部３２および周波数特性補正部３３を備える。第３の指向性合成部４０は、信号遅延部４１、信号減算部４２および周波数特性補正部４３を備える。【０１０９】
図４に示す雑音抽出装置２００が、実施の形態１に係る雑音抽出装置１００と異なるところは、第１、第２および第３の指向性合成部２０、３０および４０と、第１、第２および第３の信号絶対値演算部７１、７２および７３とのそれぞれの間に、第１の信号帯域制限部６１、第２の信号帯域制限部６２および第３の信号帯域制限部６３を設けたところである。【０１１０】
図４において、第１の信号帯域制限部６１は、第１の指向性合成部２０から入力された出力信号ｘｍ０に対して信号帯域を制限して出力する。【０１１１】
同様に、第２の信号帯域制限部６２は、第２の指向性合成部３０から入力された出力信号ｘｍ１に対して信号帯域を制限して出力する。【０１１２】
また、第３の信号帯域制限部６３は、第３の指向性合成部４０から入力された出力信号ｘｍ２に対して信号帯域を制限して出力する。【０１１３】
他の構成要素は第１の実施の形態と同様である。第１の指向性合成部２０は、第１のマイクロホンユニット１１からの出力信号ｕｍ０と第２のマイクロホンユニット１２からの出力信号ｕｍ１とに対して加算型の指向性合成を行って出力信号ｘｍ０を出力する。第２の指向性合成部３０は、第１のマイクロホンユニット１１からの出力信号ｕｍ０と第２のマイクロホンユニット１２からの出力信号ｕｍ１とに対して音圧傾度型の指向性合成を行って出力信号ｘｍ１を出力する。第３の指向性合成部４０は、第１のマイクロホンユニット１１からの出力信号ｕｍ０と第２のマイクロホンユニット１２からの出力信号ｕｍ１とに対して音圧傾度型の指向性合成を行って出力信号ｘｍ２を出力する。【０１１４】
また、第１の信号絶対値演算部７１は、第１の信号帯域制限部６１から入力された出力信号に対する絶対値を演算して出力する。第２の信号絶対値演算部７２は、第２の信号帯域制限部６２から入力された出力信号に対する絶対値を演算して出力する。第３の信号絶対値演算部７３は、第３の信号帯域制限部６３から入力された出力信号に対する信号の絶対値を演算して出力する。【０１１５】
信号相殺演算部８０は、第１の信号絶対値演算部７１からの第１出力信号、第２の信号絶対値演算部７２からの第２出力信号、および第３の信号絶対値演算部７３からの第３出力信号が入力される。信号相殺演算部８０は、第１出力信号と第２出力信号と第３出力信号とを加減算処理することで、音波に対する音響信号成分の相殺を行い、振動雑音の雑音信号成分の出力信号ｎｖ１を出力する。【０１１６】
以上のように、雑音抽出装置２００は構成される。【０１１７】
次に、雑音抽出装置２００の動作について説明する。図４において、実施の形態１と異なるところである第１の信号帯域制限部６１、第２の信号帯域制限部６２および第３の信号帯域制限部６３について説明する。その他の構成要素については、実施の形態１と同様であるので説明を省略する。【０１１８】
第１の信号帯域制限部６１、第２の信号帯域制限部６２および第３の信号帯域制限部６３は、振動ノイズを抽出すべき周波数帯域が限られている場合、出力する出力信号の周波数帯域に制限を行うことで、振動ノイズを抽出すべき周波数帯域から振動ノイズを抽出することができる。従って、雑音抽出装置２００は、振動ノイズが発生しない周波数帯域における、検出に妨害となる成分を除去した上で、振動ノイズを抽出することができる。それにより、雑音抽出装置２００の振動ノイズ検出感度すなわち検出精度を高めることができる。【０１１９】
また、第１の指向性合成部２０と第２の指向性合成部３０と第３の指向性合成部４０とにおいて、例えば雑音抽出装置２００の筐体への実装上、反射や回折などの影響を受けて、指向特性が理想状態から外れる部分が存在する場合がある。その場合、第１の信号帯域制限部６１、第２の信号帯域制限部６２および第３の信号帯域制限部６３により、不具合が発生する周波数帯域を除去してから後に続く処理を行うことができる。従って、雑音抽出装置２００は、振動ノイズを抽出する際の抽出誤差を小さくすることができる。【０１２０】
また、第１の指向性合成部２０と第２の指向性合成部３０と第３の指向性合成部４０とにおいて、特定の周波数帯域のみ音波に対する音響信号の相殺ができる指向性パタンが形成可能な状況がある。その場合、第１の信号帯域制限部６１、第２の信号帯域制限部６２および第３の信号帯域制限部６３により、特定の周波数帯域に処理を制限することができる。従って、雑音抽出装置２００は、振動ノイズを抽出する際の振動検出感度を高めることができる。【０１２１】
以上のように、実施の形態２における雑音抽出装置２００では、実施の形態１における雑音抽出装置１００の構成では正しく動作しない要因のある周波数帯域が存在する場合でも、その周波数帯域を除去することで、振動ノイズの有無判断などをより正確に行うことができる。【０１２２】
（実施の形態３）
本発明の実施の形態３について、以下説明する。【０１２３】
図５は、本発明による実施の形態３のマイクロホンを用いた雑音抽出装置の構成を示すブロック図である。図１および図４と同様の要素には同一の符号を付しており、詳細な説明は省略する。【０１２４】
図５に示す雑音抽出装置３００が、実施の形態２における雑音抽出装置１００と異なる部分は、信号復元部９０が設けられている部分である。【０１２５】
信号復元部９０は、信号符号抽出部９１と信号乗算部９２とから構成される。信号復元部９０は、信号相殺演算部８０から出力された、振動ノイズ振幅情報を示す出力信号ｎｖ１と、第３の指向性合成部４０からの出力信号ｘｍ２とが入力され、出力信号ｎｖ２を出力する。【０１２６】
具体的には、信号符号抽出部９１は、第３の指向性合成部４０からの出力信号ｘｍ２の信号符号を抽出する。【０１２７】
信号乗算部９２は、信号相殺演算部８０から出力された振動ノイズ振幅情報を示す出力信号ｎｖ１と、出力信号ｘｍ２の信号符号とを乗算して、出力信号ｎｖ２を出力する。【０１２８】
他の構成要素は第１実施の形態と同様である。第１の指向性合成部２０は、第１のマイクロホンユニット１１からの出力信号ｕｍ０と第２のマイクロホンユニット１２からの出力信号ｕｍ１とに対して加算型の指向性合成を行って出力信号ｘｍ０を出力する。第２の指向性合成部３０は、第１のマイクロホンユニット１１からの出力信号ｕｍ０と第２のマイクロホンユニット１２からの出力信号ｕｍ１とに対して音圧傾度型の指向性合成を行い、出力信号ｘｍ１を出力する。第３の指向性合成部４０は、第１のマイクロホンユニット１１からの出力信号と第２のマイクロホンユニット１２からの出力信号とに対して音圧傾度型の指向性合成を行い、出力信号ｘｍ２を出力する。【０１２９】
また、第１の信号絶対値演算部７１は、第１の指向性合成部２０から入力された出力信号ｘｍ０の絶対値を演算して出力する。第２の信号絶対値演算部７２は、第２の指向性合成部３０から入力された出力信号ｘｍ１の絶対値を演算して出力する。第３の信号絶対値演算部７３は、第３の指向性合成部４０から入力された出力信号ｘｍ２の絶対値を演算して出力する。【０１３０】
信号相殺演算部８０は、第１の信号絶対値演算部７１からの第１出力信号、第２の信号絶対値演算部７２からの第２出力信号、および第３の信号絶対値演算部７３からの第３出力信号が入力される。信号相殺演算部８０は、第１出力信号と第２出力信号と第３出力信号とを加減算処理することで、音波に対する音響信号成分の相殺を行い、例えば振動雑音の雑音信号成分の出力信号ｎｖ１を出力する。【０１３１】
以上のように、雑音抽出装置３００は構成される。【０１３２】
次に、雑音抽出装置３００の動作について説明する。図５において、実施の形態１と異なるところである信号復元部９０について説明する。その他の構成要素については、実施の形態１と同様であるので説明を省略する。【０１３３】
信号復元部９０は、信号符号抽出部９１と信号乗算部９２とから構成される。信号相殺演算部８０からの出力信号ｎｖ１は、振動感度が高い第２の指向性合成部３０と第３の指向性合成部４０とからの、出力信号ｘｍ１と出力信号ｘｍ２との振動ノイズ成分が抽出されていると考えることができる。これは、信号相殺演算部８０が、（数６）に示す演算を行った結果、図２の表の（iv）に示す信号波形が得られ、値が正の方向のみに振れていることからも分かる。【０１３４】
また、出力信号ｘｍ１および出力信号ｘｍ２に含まれる振動ノイズとして、例えば、ｕｍ０に加わった振動ノイズの信号を図５に示すブロック構成上で追ってゆく場合、ｘｍ１には遅延なしで振動ノイズの信号が現れ、ｘｍ２には時間τの遅延を持って、かつ、逆位相で振動ノイズの信号が現れる。【０１３５】
出力信号ｘｍ１および出力信号ｘｍ２は、第２の信号絶対値演算部７２および第３の信号絶対値演算部７３で絶対値がとられ、信号加算部８１で加算される。そのため、信号加算部８１が出力する信号（｜ｘｍ１｜＋｜ｘｍ２｜）に含まれる振動ノイズは、各信号に含まれる振動ノイズのほぼ２倍の値になる。【０１３６】
一方、第１の指向性合成部２０からの出力信号ｍｘ０は、振動感度が低い。そのため、信号相殺演算部８０からの出力には、出力信号ｘｍ１または出力信号ｘｍ２に混入する振動ノイズの２倍の振幅情報が得られており、正負の符号を加えることで、振動ノイズの波形を復元することができる。【０１３７】
ここで、信号相殺演算部８０では、信号減算部８２によって、信号加算部８１で加算された信号（｜ｘｍ１｜＋｜ｘｍ２｜）から、信号｜ｘｍ０｜を減算される。信号｜ｘｍ０｜に含まれる振動ノイズの値は小さいため、減算結果得られる出力信号ｎｖ１に含まれる振動ノイズは、信号（｜ｘｍ１｜＋｜ｘｍ２｜）に含まれる振動ノイズとほぼ同じになる。【０１３８】
また、出力信号ｘｍ２は振動感度の高い指向性合成出力信号であるため、振動ノイズ発生区間では、振動ノイズ波形の正負符号を強く反映している。【０１３９】
従って、信号復元部９０では、振動ノイズの振幅情報であるｎｖ１にｘｍ２から抽出した正負の符号を乗じることで、振動ノイズの波形を擬似的に復元することができる。【０１４０】
以上のようにして、実施の形態３における雑音抽出装置３００では、複数のマイクロホンユニット（第１のマイクロホンユニット１１および第２のマイクロホンユニット１２）から音波に対する収音信号の影響を受けることなく、振動ノイズ波形を抽出することができる。従って、複数のマイクロホンユニット（第１のマイクロホンユニット１１および第２のマイクロホンユニット１２）を用いて、それを備えるマイクロホンに混入する振動ノイズをキャンセル（振動ノイズを打ち消す制御）または振動ノイズ成分を抑圧する処理が高精度に行える。それにより、複数のマイクロホンユニットを備え、耐振動性に優れたマイクロホン装置が実現できるようになる。また、新たに専用のセンサを用いることなく、本来は音波を捕らえる用途であるマイクロホンデバイスをマイクロホンの機能だけでなく振動センサとして用いることができる。【０１４１】
（実施の形態４）
本発明の実施の形態４について、以下説明する。【０１４２】
図６は、実施の形態４のマイクロホンを用いた雑音抽出装置の構成を示すブロック図である。図５と同様の要素には同一の符号を付しており、詳細な説明は省略する。【０１４３】
図６に示す雑音抽出装置４００は、実施の形態３の雑音抽出装置３００に対して、次の点が異なる。第１に、第１の指向性合成部２０、第２の指向性合成部３０および第３の指向性合成部４０の後段に、それぞれ第１の時間周波数変換部５１、第２の時間周波数変換部５２および第３の時間周波数変換部５３が設けられている点である。第２に、信号復元部９０が信号復元部９００の構成になる点が異なる。すなわち、実施の形態３の信号復元部９０は、信号符号抽出部９１と信号乗算部９２とから構成されるのに対し、図６に示す信号復元部９００は、信号位相抽出部９３と信号振幅位相合成部９４と周波数時間変換部９５とから構成される。また、信号復元部９００は、周波数領域の信号に変換された出力信号において、振幅情報と位相情報とから、周波数ごとにスペクトルを推定した出力信号を、周波数時間変換部９５によって時間領域の信号に変換した出力信号ｎｖ２を出力する。【０１４４】
他の構成要素は実施の形態３と同様である。第１の指向性合成部２０は、第１のマイクロホンユニット１１からの出力信号ｕｍ０と第２のマイクロホンユニット１２からの出力信号ｕｍ１とに対して加算型の指向性合成を行い、出力信号ｘｍ０を出力する。第２の指向性合成部３０は、第１のマイクロホンユニット１１からの出力信号ｕｍ０と第２のマイクロホンユニット１２からの出力信号ｕｍ１とに対して音圧傾度型の指向性合成を行い、出力信号ｘｍ１を出力する。第３の指向性合成部４０は、第１のマイクロホンユニット１１からの出力信号ｕｍ０と第２のマイクロホンユニット１２からの出力信号ｕｍ１とに対して音圧傾度型の指向性合成を行い、出力信号ｘｍ２を出力する。【０１４５】
また、第１の時間周波数変換部５１は、第１の指向性合成部２０からの出力信号ｘｍ０を時間領域から周波数領域へ変換する。同様に、第２の時間周波数変換部５２は、第２の指向性合成部３０からの出力信号ｘｍ１を時間領域から周波数領域へ変換する。第３の時間周波数変換部５３は、第３の指向性合成部４０からの出力信号ｘｍ２を時間領域から周波数領域へ変換する。なお、図中、第１の時間周波数変換部５１、第１の時間周波数変換部５１および第１の時間周波数変換部５１をＦＦＴ（Ｆａｓｔ  Ｆｏｕｒｉｅｒ  Ｔｒａｎｓｆｏｒｍ）として表記している。【０１４６】
また、第１の信号絶対値演算部７１は、第１の時間周波数変換部５１から入力された出力信号Ｘｍ０の周波数成分毎の絶対値を演算して出力する。第２の信号絶対値演算部７２は、第２の時間周波数変換部５２から入力された出力信号Ｘｍ１の周波数成分毎の絶対値を演算して出力する。第３の信号絶対値演算部７３は、第３の時間周波数変換部５３から入力された出力信号Ｘｍ２の周波数成分毎の絶対値を演算して出力する。【０１４７】
信号相殺演算部８０は、第１の信号絶対値演算部７１からの第１出力信号｜Ｘｍ０｜、第２の信号絶対値演算部７２からの第２出力信号｜Ｘｍ１｜、および第３の信号絶対値演算部７３からの第３出力信号｜Ｘｍ２｜が入力される。信号相殺演算部８０は、第１出力信号｜Ｘｍ０｜と第２出力信号｜Ｘｍ１｜と第３出力信号｜Ｘｍ２｜とを加減算処理することで、音波に対する音響信号成分の相殺を行い、例えば振動雑音の雑音信号成分の出力信号Ｎｖ１を出力する。【０１４８】
信号復元部９００は、信号位相抽出部９３と信号振幅位相合成部９４と周波数時間変換部９５とから構成される。信号復元部９００は、信号相殺演算部８０から出力された振動ノイズ振幅情報を示す出力信号Ｎｖ１と、第３の指向性合成部４０からの出力信号Ｘｍ２とが入力され、出力信号ｎｖ２を出力する。【０１４９】
具体的には、信号位相抽出部９３は、第３の指向性合成部４０からの出力信号Ｘｍ２の信号位相を抽出する。【０１５０】
信号振幅位相合成部９４は、信号相殺演算部８０から出力された振動ノイズの振幅スペクトル情報を示す出力信号Ｎｖ１と、指向性出力信号ｘｍ２のスペクトルを示す出力信号Ｘｍ２の信号位相とを乗算合成して、スペクトルを示す出力信号Ｎｖ２を出力する。【０１５１】
周波数時間変換部９５は、信号振幅位相合成部９４から出力されたスペクトルを示す出力信号Ｎｖ２を、時間信号に変換して出力信号ｎｖ２を出力する。なお、図中、周波数時間変換部９５はＩＦＦＴ（Ｉｎｖｅｒｓｅ  Ｆａｓｔ  Ｆｏｕｒｉｅｒ  Ｔｒａｎｓｆｏｒｍ）と表記されている。【０１５２】
以上のように、雑音抽出装置４００は構成される。【０１５３】
次に、雑音抽出装置４００の動作について説明する。【０１５４】
図６において、実施の形態３と異なるところである第１の時間周波数変換部５１、第２の時間周波数変換部５２、第３の時間周波数変換部５３および信号復元部９００について説明する。雑音抽出装置４００は、第１の時間周波数変換部５１と、第２の時間周波数変換部５２と、第３の時間周波数変換部５３とおよび信号復元部９００とによって、周波数領域で周波数ごとに、振幅情報と位相情報とから出力信号スペクトルを推定することによって、出力信号ｎｖ２を得ている。その他の構成要素については、実施の形態１と同様であるので説明を省略する。【０１５５】
なお、上述した実施の形態３の雑音抽出装置３００においての課題は、信号符号抽出部９１において、ｘｍ２の信号波形から振動ノイズ波形復元のための信号符号を得ている点にある。すなわち、ｘｍ２には音波による音響信号成分と振動ノイズの成分とが混在しているため、音波の影響を受けて振動ノイズ波形復元のために用いる信号符号情報に誤差を生む場合がある。【０１５６】
それに対して、実施の形態４の雑音抽出装置４００では、音波の成分を相殺して振動ノイズ振幅成分を推定する処理と、信号位相抽出部９３での位相情報を抽出する処理とを、周波数成分毎に行う。それによって、特に位相情報を抽出する部分での信号の重畳（音波と振動）による誤差が軽減されるので、振動ノイズ波形復元の精度が改善できる。【０１５７】
以上のようにして、実施の形態４における雑音抽出装置４００では、複数のマイクロホンユニット（第１のマイクロホンユニット１１および第２のマイクロホンユニット１２）から音波に対する収音信号の影響を受けることなく、振動ノイズ波形の抽出を高精度に行える。それにより、複数のマイクロホンユニット（第１のマイクロホンユニット１１および第２のマイクロホンユニット１２）を用いて、それを備えるマイクロホン装置に混入する振動ノイズをキャンセル（振動ノイズを打消す制御）または振動ノイズ成分を抑圧する処理を行う精度（性能）が改善される。従って、複数のマイクロホンユニットを備え、耐振動性に優れたマイクロホン装置が実現できるようになる。さらに、振動センサとして用いる場合でも音波の影響を受けにくく振動ノイズを検出する精度が改善できる効果が得られる。【０１５８】
（実施の形態５）
本発明の実施の形態５について、以下説明する。【０１５９】
図７は、実施の形態５における雑音抽出装置３００を用いたマイクロホン装置の構成を示すブロック図である。図６と同様の要素には同一の符号を付しており、詳細な説明は省略する。【０１６０】
図７に示すマイクロホン装置５００は、実施の形態４の雑音抽出装置４００と異なる部分は、信号遅延部９７と信号増幅部９８と信号減算部９９とが新たに設けられた点である。他の構成要素は実施の形態４と同様である。【０１６１】
第１の指向性合成部２０は、第１のマイクロホンユニット１１からの出力信号ｕｍ０と第２のマイクロホンユニット１２からの出力信号ｕｍ１とに対して加算型の指向性合成を行い、出力信号ｘｍ０を出力する。第２の指向性合成部３０は、第１のマイクロホンユニット１１からの出力信号ｕｍ０と第２のマイクロホンユニット１２からの出力信号ｕｍ１とに対して音圧傾度型の指向性合成を行い、出力信号ｘｍ１を出力する。第３の指向性合成部４０は、第１のマイクロホンユニット１１からの出力信号ｕｍ０と第２のマイクロホンユニット１２からの出力信号ｕｍ１とに対して音圧傾度型の指向性合成を行い、出力信号ｘｍ２を出力する。【０１６２】
また、第１の時間周波数変換部５１は、第１の指向性合成部２０からの出力信号ｘｍ０を時間領域から周波数領域へ変換する。同様に、第２の時間周波数変換部５２は、第２の指向性合成部３０からの出力信号ｘｍ１を時間領域から周波数領域へ変換する。第３の時間周波数変換部５３は、第３の指向性合成部４０からの出力信号ｘｍ２を時間領域から周波数領域へ変換する。【０１６３】
また、第１の信号絶対値演算部７１は、第１の時間周波数変換部５１から入力された出力信号Ｘｍ０の周波数成分毎の絶対値を演算して出力する。第２の信号絶対値演算部７２は、第２の時間周波数変換部５２から入力された出力信号Ｘｍ１の周波数成分毎の絶対値を演算して出力する。第３の信号絶対値演算部７３は、第３の時間周波数変換部５３から入力された出力信号Ｘｍ２の周波数成分毎の絶対値を演算して出力する。【０１６４】
信号相殺演算部８０は、第１の信号絶対値演算部７１からの第１出力信号｜Ｘｍ０｜、第２の信号絶対値演算部７２からの第２出力信号｜Ｘｍ１｜、および第３の信号絶対値演算部７３からの第３出力信号｜Ｘｍ２｜が入力される。信号相殺演算部８０は、第１出力信号｜Ｘｍ０｜と第２出力信号｜Ｘｍ１｜と第３出力信号｜Ｘｍ２｜とを加減算処理することで、音波に対する音響信号成分の相殺を行い、例えば振動雑音の雑音信号成分の出力信号Ｎｖ１を出力する。【０１６５】
信号復元部９００は、信号位相抽出部９３と信号振幅位相合成部９４と周波数時間変換部９５とから構成される。信号復元部９００は、信号相殺演算部８０から出力された振動ノイズ振幅情報を示す出力信号Ｎｖ１と、第３の指向性合成部４０からの出力信号Ｘｍ２とが入力され、出力信号ｎｖ２を出力する。【０１６６】
具体的には、信号位相抽出部９３は、第３の指向性合成部４０からの出力信号Ｘｍ２の信号位相を抽出する。【０１６７】
信号振幅位相合成部９４は、信号相殺演算部８０から出力された振動ノイズの振幅スペクトル情報を示す出力信号Ｎｖ１と、指向性出力信号ｘｍ２のスペクトルを示す出力信号Ｘｍ２の信号位相とを乗算合成して、スペクトルを示す出力信号Ｎｖ２を出力する。【０１６８】
周波数時間変換部９５は、信号振幅位相合成部９４から出力されたスペクトルを示す出力信号Ｎｖ２を、時間信号に変換して出力信号ｎｖ２を出力する。【０１６９】
信号遅延部９７は、第３の指向性合成部４０からの出力信号ｘｍ２が入力され、入力された信号ｘｍ２を遅延させて出力する。【０１７０】
信号増幅部９８は、周波数時間変換部９５からの出力信号ｎｖ２が入力され、入力された信号ｎｖ２の出力レベルを調整して出力する。【０１７１】
信号減算部９９は、信号遅延部９７からの信号と、信号増幅部９８で出力レベルが調整された出力信号ｎｖ２とが入力され、入力されたそれら信号を減算して出力する。【０１７２】
以上のようにマイクロホン装置５００は構成される。【０１７３】
次に、マイクロホン装置５００の動作について説明する。【０１７４】
図７において、実施の形態４と異なる部分である信号遅延部９７と信号増幅部９８と信号減算部９９とについて説明する。その他の構成要素については、実施の形態４と同様であるので説明を省略する。【０１７５】
信号復元部９００から出力される抽出される振動ノイズ波形を示す出力信号ｎｖ２は、第３の指向性合成部４０からの指向性信号出力ｘｍ２に含まれる振動ノイズとなっている。【０１７６】
出力信号ｎｖ２は、ＦＦＴ（第１の時間周波数変換部５１、第２の時間周波数変換部５２および第３の時間周波数変換部５３）とＩＦＦＴ（周波数時間変換部９５）とを使って時間周波数変換および周波数時間変換の処理時間分遅延している。そのため、信号遅延部９７では、第３の指向性合成部４０からの出力信号ｘｍ２を遅延させて、処理時間分の時間補正を行う。【０１７７】
このように位相を合わせた状態で信号減算部９９で減算することで、信号減算部９９からの出力信号は、振動ノイズが打ち消された指向性マイクロホン出力（目的の音波の収音信号）となる。【０１７８】
なお、推定振動ノイズ信号を示す出力信号ｎｖ２は、前述したようにｘｍ２に含まれる振動ノイズ波形の２倍の振幅を示すので、信号増幅部９８では、０．５倍の信号増幅を行っている。【０１７９】
以上のように、実施の形態５におけるマイクロホン装置５００では、目的の音波をセンシングするための複数のマイクロホンユニット（第１のマイクロホンユニット１１および第２のマイクロホンユニット１２）を用いて、マイクロホンユニットに混入する振動ノイズと、音波に対する音響信号とを分離して出力できる。それにより、複数のマイクロホンユニットを備え、耐振動に優れたマイクロホン装置が実現できるようになる。さらに、そのマイクロホン装置に振動センサの役割を担う機能を同時に実現することができる。【０１８０】
以上のように、本発明は、複数のマイクロホンユニットの出力を用いて指向性形成を演算する。その演算結果（特には、相反する方向への指向性出合成出力の合成出力信号）がマイクロホン装置に混入する振動成分を相対的に多く含み、振動成分の検出にも利用できるという属性を利用している。それにより、目的の音波を収音する目的で設けられた複数のマイクロホンユニットが、振動センサとしても併用できる。つまり、本発明によれば、新たに専用のセンサを用いることなく、本来は音波を捕えるマイクロホンデバイスを用いてマイクロホン装置に混入する振動ノイズを抽出し、抽出した振動ノイズを除去することで、耐振動に優れたマイクロホン装置が実現できる。【０１８１】
なお、上述したマイクロホン装置５００を機能構成で示して説明する。【０１８２】
図８は、本発明の実施の形態５におけるマイクロホン装置の機能構成を示すブロック図である。【０１８３】
図８で示すマイクロホン装置６００は、マイクロホン装置５００に相当し、音を収音するための第１のマイクロホンユニット１１および第２のマイクロホンユニット１２を備える。また、マイクロホン装置６００は、指向性合成部１２０および１５０と、音響相殺部１８０と信号復元部１９０と、音響出力部１９９とを備える。【０１８４】
指向性合成部１２０および１５０とは、第１のマイクロホンユニット１１および第２のマイクロホンユニット１２からの出力信号を指向性合成して、雑音感度が異なるが、音圧に対する指向特性が一致し、かつ、音響的中心位置が一致する２つの指向性合成信号を生成する。指向性合成部１２０は、振動に強い合成を行い、指向性合成部１５０は振動に弱い合成を行う。【０１８５】
また、音響相殺部１８０は、２つの指向性合成信号の一方から他方を減算することで、前記一方の指向性合成信号から、音響成分を打ち消すことにより、雑音成分を抽出する。音響相殺部１８０は、抽出された前記雑音成分を示す出力信号を出力する。【０１８６】
信号復元部１９０は、音響相殺部１８０からの出力信号と、指向性合成部１２０および１５０の何れかからの出力信号とから、雑音波形信号を復元して出力する。【０１８７】
音響出力部１９９は、指向性合成部１５０からの出力信号から、音響相殺部１８０により抽出され信号復元部１９０で復元された雑音波形信号を減算することにより振動抑圧された音響信号を出力する。【０１８８】
以上のように、マイクロホン装置６００は、振動抑圧された音響信号すなわち振動ノイズが打ち消された指向性マイクロホン出力（目的の音波の収音信号）を出力することができる。【０１８９】
以上、本発明によれば、音波を収音するマイクロホン装置に、新たに振動センサを追加することなく雑音を抽出する雑音抽出装置を実現することができる。【０１９０】
なお、本発明の実施の形態１〜４では、第３の指向性合成部４０からの指向性信号出力ｘｍ２に含まれる振動ノイズを打ち消す処理を行う最も単純な構成である減算手段の例を説明した。しかし、例えば主信号にｘｍ２、参照信号にｎｖ２として、パワスペクトルの領域で処理を行う２入力型の雑音抑圧手段を用いてもよく、適応フィルタを有するキャンセラを用いても良い。【０１９１】
また、本発明の実施の形態１〜４で説明した数々の部は、装置が予め保持している種々のコンピュータプログラムがハードウェアとしての１つあるいは複数のプロセッサ上で実行されることによって実現されてもよい。【０１９２】
また、上述の第１の指向性合成部２０からの第１出力信号、並びに、第２の指向性合成部３０からの第２出力信号および第３の指向性合成部４０からの第３出力信号に基づいて導出される合成出力信号の指向性パタンは、特に単一の方向に対する指向性を形成するものに限られず無指向性を形成するものでよい。共に、同一のパタンであって、合成出力信号に含まれる振動レベルの音響信号レベルに対する相対比が、第１出力信号に含まれる振動レベルの音響信号レベルに対する相対比より大きければよい。【０１９３】
（その他変形例）
なお、本発明を上記実施の形態および変形例に基づいて説明してきたが、本発明は、上記の実施の形態に限定されないのはもちろんである。以下のような場合も本発明に含まれる。【０１９４】
（１）上記、マイクロホンユニットを除く各処理部（指向性合成部、信号絶対値演算部、信号相殺演算部等）は、具体的には、マイクロプロセッサ、ＲＯＭ、ＲＡＭ、などから構成されるコンピュータシステムとして実装される。ＲＡＭには、コンピュータプログラムが記憶されている。【０１９５】
マイクロプロセッサが、コンピュータプログラムに従って動作することにより、各装置および各構成部は、その機能を達成する。ここでコンピュータプログラムは、所定の機能を達成するために、コンピュータに対する指令を示す命令コードが複数個組み合わされて構成されたものである。【０１９６】
（２）上記の各装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしてもよい。【０１９７】
システムＬＳＩは、複数の構成部を１個のチップ上に集積して製造された超多機能ＬＳＩである。具体的には、マイクロプロセッサ、ＲＯＭ、ＲＡＭなどを含んで構成されるコンピュータシステムである。ＲＡＭには、コンピュータプログラムが記憶されている。【０１９８】
マイクロプロセッサが、コンピュータプログラムに従って動作することにより、システムＬＳＩは、その機能を達成する。【０１９９】
（３）上記の各装置を構成する構成要素の一部または全部は、各装置に脱着可能なＩＣカードまたは単体のモジュールから構成されているとしてもよい。【０２００】
ＩＣカードまたはモジュールは、マイクロプロセッサ、ＲＯＭ、ＲＡＭなどから構成されるコンピュータシステムである。ＩＣカードまたはモジュールは、上記の超多機能ＬＳＩを含むとしてもよい。【０２０１】
マイクロプロセッサが、コンピュータプログラムに従って動作することにより、ＩＣカードまたはモジュールは、その機能を達成する。このＩＣカードまたはこのモジュールは、耐タンパ性を有するとしてもよい。【０２０２】
（４）本発明は、上記に示す方法であるとしてもよい。また、これらの方法をコンピュータにより実現するコンピュータプログラムであるとしてもよいし、コンピュータプログラムからなるデジタル信号であるとしてもよい。【０２０３】
また、本発明は、コンピュータプログラムまたはデジタル信号をコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなどに記録したものとしてもよい。また、これらの記録媒体に記録されているデジタル信号であるとしてもよい。【０２０４】
また、本発明は、コンピュータプログラムまたはデジタル信号を、電気通信回線、無線または有線通信回線、インターネットを代表とするネットワーク、データ放送等を経由して伝送するものとしてもよい。【０２０５】
また、本発明は、マイクロプロセッサとメモリを備えたコンピュータシステムであって、メモリは、コンピュータプログラムを記憶しており、マイクロプロセッサは、前記コンピュータプログラムに従って動作するとしてもよい。【０２０６】
また、プログラムまたはデジタル信号を記録媒体に記録して移送することにより、または、プログラムまたはデジタル信号をネットワーク等を経由して移送することにより、独立した他のコンピュータシステムにより実施するとしてもよい。【０２０７】
（５）上記実施の形態および上記変形例をそれぞれ、組み合わせる構成としてもよい。
【産業上の利用可能性】
【０２０８】
本発明は、振動ノイズ抽出装置または風雑音抽出装置等の雑音抽出装置に利用できるだけでなく、耐振動性や耐風雑音性能に優れたマイクロホン装置としても利用できる。【０２０９】
特に、指向性マイクロホンを用いるマイクロホン装置に振動ノイズ抽出装置および風雑音抽出装置を兼用させることで、図９に示すようなビデオムービー７００において、耐振動性や耐風雑音性能に優れたマイクロホン装置として利用できる。さらに、複数マイクロホンからの信号を使って信号合成で出力を得る収音方法において、振動ノイズや風雑音の上昇を抑え、耐振動性や耐風雑音性能に優れたマイクロホン装置として利用できるので、一般のマイクロホンの他に、ウェアラブル機器における収音、拡声システム一体型収音システム、カムコーダ、可動部を有する機器に内蔵のマイクなどの振動ノイズや風雑音が課題になる機器に利用できる。【０２１０】
また、マイクロホンの信号から振動のみを精度良く検知できるので、振動センサや複合センサとして利用できる。
【図１】
2009044562.tif 000009
【図２】
2009044562.tif 000010
【図３】
2009044562.tif 000011
【図４】
2009044562.tif 000012
【図５】
2009044562.tif 000013
【図６】
2009044562.tif 000014
【図７】
2009044562.tif 000015
【図８】
2009044562.tif 000016
【図９】
2009044562.tif 000017
【図１０】
2009044562.tif 000018
【手続補正書】
【提出日】平成21年2月10日(2009.2.10)
【手続補正１】
【補正対象書類名】特許請求の範囲
【補正対象項目名】全文
【補正方法】変更
【補正の内容】
【特許請求の範囲】
【請求項１】
空間的に異なる位置に設けられ、音を収音するための第１および第２のマイクロホンユニットと、
前記第１および第２のマイクロホンユニットからの出力信号を指向性合成して、雑音感度が異なるが、音圧に対する指向特性が一致し、かつ、音響的中心位置が一致する、２つの指向性合成信号を生成する指向性合成部と、
前記２つの指向性合成信号の一方から他方を減算することで、前記一方の指向性合成信号から、音響成分を打ち消すことにより、雑音成分を抽出する音響相殺部とを備える
雑音抽出装置。
【請求項２】
前記指向性合成部は、前記第１と第２のマイクロホンユニットからの出力信号を指向性合成する第１、第２および第３の指向性合成部と、前記第１、第２および第３の指向性合成部それぞれからの出力信号を絶対値演算して絶対値信号を出力する第１、第２および第３の信号絶対値部とを備え、
音響相殺部は、前記第１の信号絶対値部から出力された絶対値信号を前記一方の指向性合成信号として取得し、前記第２および第３の信号絶対値部から出力された絶対値信号から前記他方の指向性合成信号を生成し、前記一方の指向性合成信号から前記他方の指向性合成信号を減算することによって、前記音響成分を打ち消す相殺演算部とを備える、
請求項１記載の雑音抽出装置。
【請求項３】
前記第２および第３の指向性合成部は、前記第１の指向性合成部に比較して、前記雑音成分に対する感度が高い、または、前記音響成分に対する感度が低い
請求項２記載の雑音抽出装置
【請求項４】
前記第２および第３の指向性合成部は、音圧傾度型の指向性合成方法に従い、それぞれの出力信号が持つ指向性パタンが相反する方向になるよう指向性合成し、
前記第２および第３の指向性合成部それぞれからの出力信号が持つ指向性パタンの和と前記第１の指向性合成部からの出力信号が持つ指向性パタンと
は等しい
請求項２記載の雑音抽出装置。
【請求項５】
前記第１の指向性合成部は、前記第１および第２のマイクロホンユニットからの出力信号を信号加算することにより加算型の指向性合成を行い、
前記第２の指向性合成部は、前記第２のマイクロホンユニットからの出力信号に所定の遅延を与え、第１のマイクロホンユニットの出力信号から減算することにより音圧傾度型の指向性合成を行い、
前記第３の指向性合成部は、前記第１のマイクロホンユニットからの出力信号に所定の遅延を与え、第２のマイクロホンユニットの出力信号から減算することにより音圧傾度型の指向性合成を行う
請求項２記載の雑音抽出装置。
【請求項６】
前記雑音抽出装置は、さらに、
前記第１、第２および第３の指向性合成部それぞれからの出力信号の信号帯域を制限して第１、第２および第３の信号絶対値演算部にそれぞれに出力する第１、第２および第３の信号帯域制限部を備える
請求項２記載の雑音抽出装置。
【請求項７】
前記音響相殺部は、抽出された前記雑音成分を示す出力信号を出力し、
前記雑音抽出装置は、さらに、
前記音響相殺部からの出力信号と、前記第１、第２および第３の指向性合成部の何れかからの出力信号とから、雑音波形信号を復元して出力する信号復元部を備える
請求項２記載の雑音抽出装置。
【請求項８】
前記信号復元部は、前記第１、第２および第３の指向性合成部の何れかからの出力信号の符号と、前記信号相殺演算部からの出力信号との乗算によって雑音波形信号を復元する
請求項７記載の雑音抽出装置。
【請求項９】
前記雑音抽出装置は、さらに、
前記第１、第２および第３の指向性合成部の前段または後段部分に、時間領域から周波数領域への変換を行う時間周波数変換部を備え、
前記信号相殺演算部は、周波数毎に、前記雑音信号を抽出する
請求項２記載の雑音抽出装置。
【請求項１０】
前記雑音抽出装置は、さらに、前記信号相殺演算部からの出力信号と、前記第１、第２および第３の指向性合成部の何れかからの出力信号とから、雑音波形信号を復元して出力する信号復元部を備え、
前記信号復元部は、前記第１、第２および第３の指向性合成部の何れかからの出力信号の周波数毎の位相情報と、前記信号相殺演算部からの出力信号の周波数毎の振幅情報とを用いて、雑音波形信号を復元する
請求項９記載の雑音抽出装置。
【請求項１１】
前記雑音抽出装置は、振動センサとして構成される
請求項１記載の雑音抽出装置。
【請求項１２】
前記雑音抽出装置は、前記一方の指向性合成信号から音響成分を抽出する
請求項１１記載の雑音抽出装置。
【請求項１３】
請求項１に記載の雑音抽出装置と、
前記第１および第２のマイクロホンユニットからの出力信号から、前記雑音抽出装置により抽出された前記雑音信号の成分を減算することにより雑音抑圧された音響信号を出力する音響出力部とを備える
マイクロホン装置。
【請求項１４】
空間的に異なる位置に設けられ、音を収音するための第１および第２のマイクロホンユニットを備える雑音抽出装置の雑音抽出方法であって、
前記第１および第２のマイクロホンユニットからの出力信号を指向性合成して、雑音感度が異なるが、音圧に対する指向特性が一致し、かつ、音響的中心位置が一致する、２つの指向性合成信号を生成する指向性合成ステップと、
前記２つの指向性合成信号の一方から他方を減算することで、前記一方の指向性合成信号から、音響成分を打ち消すことにより、雑音成分を抽出する音響相殺ステップとを含む
雑音抽出方法。
【請求項１５】
空間的に異なる位置に設けられ、音を収音するための第１および第２のマイクロホンユニットを備え、雑音成分を抽出する集積回路であって、
前記第１および第２のマイクロホンユニットからの出力信号を指向性合成して、雑音感度が異なるが、音圧に対する指向特性が一致し、かつ、音響的中心位置が一致する、２つの指向性合成信号を生成する指向性合成部と、
前記２つの指向性合成信号の一方から他方を減算することで、前記一方の指向性合成信号から、音響成分を打ち消すことにより、雑音成分を抽出する音響相殺部とを備える
集積回路。
【請求項１６】
請求項１３に記載のマイクロホン装置と、
対象物を撮像するカメラ部と
を備える
ビデオカメラ。
【手続補正書】
【提出日】平成21年6月1日(2009.6.1)
【手続補正１】
【補正対象書類名】明細書
【補正対象項目名】全文
【補正方法】変更
【補正の内容】
【発明の詳細な説明】
【技術分野】
【０００１】
本発明は、雑音抽出装置に関し、特に、２つ以上のマイクロホンユニットからの信号を信号処理して出力を得るマイクロホン装置の振動雑音を抽出する、マイクロホンを用いた雑音抽出装置に関するものである。
【背景技術】
【０００２】
２つ以上のマイクロホンユニットからの信号を信号処理して出力を得るマイクロホン装置があり、そのマイクロホン装置における信号処理として、例えば音圧傾度型の指向性合成方法がある。指向性合成方法は、小型で指向性が形成できるメリットを持つ一方、指向性合成時に音圧感度が低下してしまうデメリットをもつ。すなわち、指向性合成方法では、指向性が形成できるが、音圧に対する感度は、マイクロホンユニットで発生する振動雑音の雑音レベルに比較して低下してしまう。そのため、指向性合成方法では、相対的に振動雑音の問題が大きくなる。
【０００３】
また、従来のマイクロホンの振動雑音の対策として、１）フローティング、２）振動センサを使ったキャンセリング、３）マイクロホンユニットからの信号間のキャンセリング、などが存在する。以下、振動雑音の問題に対する対策方法として、本発明に関連が深い２）振動センサを使ったキャンセリングについて説明する。
【０００４】
図１０は、振動雑音に対する従来の対策方法を説明するための図である。図１０に示すマイクロホン装置８００は、マイクロホンユニット１、音孔が密閉されているマイクロホンユニット２、マイクロホンユニット１とマイクロホンユニット２とを保持する筐体３、マイクロホンユニット１からの出力信号とマイクロホンユニット２からの出力信号が入力され、入力されたそれら信号の減算を行う信号減算部４とを備える。
【０００５】
以上のように構成されたマイクロホン装置８００が行う振動雑音に対する対策処理についての動作を次に説明する。
【０００６】
マイクロホンユニット１は、主として目的の音波を収音するために設けられ、収音した目的の音波の信号を出力する。しかし、実用上は、目的の音波以外の要因による振動によってもマイクロホンユニット１の振動板が振動され、その振動により発生する振動雑音が収音する目的の音波の信号に重畳されてマイクロホンユニット１から出力される。
【０００７】
この振動雑音を除去するために、図１０に示すようにマイクロホンユニット２が設けられている。マイクロホンユニット２は、音波に対する感度が十分に低下するように音孔を塞がれて、振動センサとして動作するようになっている。また、マイクロホンユニット２は、マイクロホンユニット１と同一の筐体３に固定されている。これは、できるだけ目的の音波以外の要因による振動がマイクロホンユニット１およびマイクロホンユニット２に対して同一に発生するようにするためである。
【０００８】
このようにして、マイクロホンユニット２は、マイクロホンユニット１にも発生し、目的の音波以外の要因による振動により発生する振動雑音を収音する。
【０００９】
従って、マイクロホンユニット２からの出力信号は、マイクロホンユニット１からの出力信号の振動雑音成分と等しいとし、信号減算部４で減算処理を行うことで、マイクロホンユニット１の出力信号に重畳されている振動成分がキャンセルできる。
【００１０】
それにより、マイクロホン装置８００は、信号減算部４から、マイクロホン装置８００が収音したい音波の信号の出力が得られることになる。
【先行技術文献】
【特許文献】
【００１１】
【特許文献１】特開昭５６−２５８９２号公報
【発明の概要】
【発明が解決しようとする課題】
【００１２】
しかしながら、上記従来の構成では、マイクロホンユニット１とマイクロホンユニット２とが同一筐体３に固定されているものの、２つのマイクロホンユニットから出力される振動雑音は同一の信号にならない。すなわち、上記従来の構成では、２つのマイクロホンユニットに実質的には同一の振動が伝わらないだけでなく、マイクロホンユニット１とマイクロホンユニット２との振動感度に関する個体差などがあるため、２つのマイクロホンユニットから出力される振動雑音は同一の信号にならない。従って、信号減算部４において、マイクロホンユニット１の出力信号に重畳されている振動成分をキャンセルすることが難しく、十分な効果が得られない。すなわち、マイクロホン装置８００は、信号減算部４から、マイクロホン装置８００が収音したい音波以外に振動雑音が含まれる信号の出力を得てしまう。
【００１３】
さらに、上記従来の構成では、目的の音波を収音するマイクロホンユニット１とは別に振動成分をキャンセルするのに用いる振動センサ（ここではマイクロホンユニット２）を設ける必要があり、実装上の制約となる。
【００１４】
そこで、本発明は、上述の事情を鑑みてなされたもので、音波を収音するマイクロホン装置に、新たに振動センサを追加することなく雑音を抽出する雑音抽出装置を提供することを目的とする。
【課題を解決するための手段】
【００１５】
上記目的を達成するために、本発明に係る雑音抽出装置は、音を収音するための第１および第２のマイクロホンユニットと、前記第１および第２のマイクロホンユニットからの出力信号を指向性合成して、雑音感度が異なるが、音圧に対する指向特性が一致し、かつ、音響的中心位置が一致する、２つの指向性合成信号を生成する指向性合成部と、前記２つの指向性合成信号の一方から他方を減算することで、前記一方の指向性合成信号から、音響成分を打ち消すことにより、雑音成分を抽出する音響相殺部とを備えることを特徴とする。
【００１６】
ここで、前記指向性合成部は、前記第１と第２のマイクロホンユニットからの出力信号を指向性合成する第１、第２および第３の指向性合成部と、前記第１、第２および第３の指向性合成部それぞれからの出力信号を絶対値演算して絶対値信号を出力する第１、第２および第３の信号絶対値部とを備え、音響相殺部は、前記第１の信号絶対値部から出力された絶対値信号を前記一方の指向性合成信号として取得し、前記第２および第３の信号絶対値部から出力された絶対値信号から前記他方の指向性合成信号を生成し、前記一方の指向性合成信号から前記他方の指向性合成信号を減算することによって、前記音響成分を打ち消す相殺演算部とを備えてもよい。
【００１７】
また、前記第２および第３の指向性合成部は、前記第１の指向性合成部に比較して、前記雑音成分に対する感度が高い、または、前記音響成分に対する感度が低くてもよい。
【００１８】
また、前記第２および第３の指向性合成部は、音圧傾度型の指向性合成方法に従い、それぞれの出力信号が持つ指向性パタンが相反する方向になるよう指向性合成し、前記第２および第３の指向性合成部それぞれからの出力信号が持つ指向性パタンの和と前記第１の指向性合成部からの出力信号が持つ指向性パタンとは等しくてもよい。
【００１９】
また、前記第１の指向性合成部は、前記第１および第２のマイクロホンユニットからの出力信号を信号加算することにより加算型の指向性合成を行い、前記第２の指向性合成部は、前記第２のマイクロホンユニットからの出力信号に所定の遅延を与え、第１のマイクロホンユニットの出力信号から減算することにより音圧傾度型の指向性合成を行い、前記第３の指向性合成部は、前記第１のマイクロホンユニットからの出力信号に所定の遅延を与え、第２のマイクロホンユニットの出力信号から減算することにより音圧傾度型の指向性合成を行ってもよい。
【００２０】
また、前記雑音抽出装置は、さらに、前記第１、第２および第３の指向性合成部それぞれからの出力信号の信号帯域を制限して第１、第２および第３の信号絶対値演算部にそれぞれに出力する第１、第２および第３の信号帯域制限部を備えてもよい。
【００２１】
また、前記音響相殺部は、抽出された前記雑音成分を示す出力信号を出力し、前記雑音抽出装置は、さらに、前記音響相殺部からの出力信号と、前記第１、第２および第３の指向性合成部の何れかからの出力信号とから、雑音波形信号を復元して出力する信号復元部を備えてもよい。
【００２２】
また、前記信号復元部は、前記第１、第２および第３の指向性合成部の何れかからの出力信号の符号と、前記信号相殺演算部からの出力信号との乗算によって雑音波形信号を復元してもよい。
【００２３】
また、前記雑音抽出装置は、さらに、前記第１、第２および第３の指向性合成部の前段または後段部分に、時間領域から周波数領域への変換を行う時間周波数変換部を備え、前記信号相殺演算部は、周波数毎に、前記雑音信号を抽出してもよい。
【００２４】
また、前記雑音抽出装置は、さらに、前記信号相殺演算部からの出力信号と、前記第１、第２および第３の指向性合成部の何れかからの出力信号とから、雑音波形信号を復元して出力する信号復元部を備え、前記信号復元部は、前記第１、第２および第３の指向性合成部の何れかからの出力信号の周波数毎の位相情報と、前記信号相殺演算部からの出力信号の周波数毎の振幅情報とを用いて、雑音波形信号を復元してもよい。
【００２５】
また、前記雑音抽出装置は、振動センサとして構成されてもよい。
【００２６】
また、前記雑音抽出装置は、前記一方の指向性合成信号から音響成分を抽出してもよい。
【００２７】
なお、本発明は、装置として実現するだけでなく、このような装置が備える処理手段を備える集積回路として実現したり、その装置を構成する処理手段をステップとする方法として実現したり、それらステップをコンピュータに実行させるプログラムとして実現したりすることもできる。
【発明の効果】
【００２８】
本発明によれば、音波を収音するマイクロホン装置に、新たに振動センサを追加することなく雑音を抽出する雑音抽出装置を実現することができる。
【００２９】
それにより２つ以上のマイクロホンユニットから信号合成によって出力信号を得るマイクロホン装置に混入する振動雑音を正確に抽出する装置を実現することができる。
【００３０】
具体的には、本発明では、マイクロホン装置が収音したい音波の出力信号を得るためのマイクロホンユニット自体から、振動ノイズを抽出する構成を用いる。また、抽出した振動ノイズは、マイクロホン装置に混入する振動ノイズと相関が高い。この抽出した振動ノイズを用いることでマイクロホンユニットに関する位置でのノイズ（マイクロホン装置に混入する振動ノイズ）を正確に抑圧または制御することができる。
【００３１】
また、本発明では、マイクロホンユニットに含まれる振動ノイズを抽出する抽出方法としては、振動感度が異なる指向性合成出力を使って、全方向からの音波を常時打消しながら、振動ノイズのみを抽出する。それにより音波の強さに影響を受けることなく、正確な振動ノイズレベルを検出でき、振動ノイズ波形を推定することができる。
【００３２】
なお、本発明は、収音した際の音波による信号を相殺して、ノイズのみを抽出する方法である。従って、音波とは信号の振る舞いが異なり、かつ、振動ノイズと性質が類似している、例えば風雑音に対しても同様の効果が得られる。ここで、風雑音とは、マイクロホンに風が当たって発生するノイズである。
【００３３】
また、本発明によれば、新たに振動センサを追加する必要がない。目的の音波を収音する目的で設けられた複数のマイクロホンユニットを用いて、音波に対する収音信号の影響を受けることなく、振動ノイズ成分のみを抽出することができる。それにより、複数のマイクロホンユニットを用いて、それを備えるマイクロホン装置に混入する振動ノイズを打消すことが高精度に行えるので、複数のマイクロホンユニットを備え、耐振動性に優れたマイクロホン装置を実現できるようになる。
【００３４】
なお、本発明は、装置として実現するだけでなく、このような装置が備える処理手段を備える集積回路として実現したり、その装置を構成する処理手段をステップとする方法として実現したり、それらステップをコンピュータに実行させるプログラムとして実現したりすることもできる。
【図面の簡単な説明】
【００３５】
【図１】図１は、本発明の実施の形態１におけるマイクロホンを用いた雑音抽出装置の構成を示すブロック図である。
【図２】図２は、本発明の実施の形態１における出力信号の信号波形例と指向特性と音波に対する感度の関係を示す表である。
【図３】図３は、本発明の実施の形態１におけるマイクロホンユニット単体の振動ノイズレベルを基準にした振動抽出感度を示す図である。
【図４】図４は、本発明の実施の形態２におけるマイクロホンを用いた雑音抽出装置の構成を示すブロック図である。
【図５】図５は、本発明の実施の形態３におけるマイクロホンを用いた雑音抽出装置の構成を示すブロック図である。
【図６】図６は、本発明の実施の形態４におけるマイクロホンを用いた雑音抽出装置の構成を示すブロック図である。
【図７】図７は、本発明の実施の形態５における雑音抽出装置を用いたマイクロホン装置の構成を示すブロック図である。
【図８】図８は、本発明の実施の形態５におけるマイクロホン装置の機能構成を示すブロック図である。
【図９】図９は、本発明のマイクロホン装置が利用可能なアプリケーションの例を示す図である。
【図１０】図１０は、従来の振動雑音に対する従来の対策方法を説明するための図である。
【発明を実施するための形態】
【００３６】
以下本発明の実施の形態について、図面を参照しながら説明する。
【００３７】
（実施の形態１）
図１は、本発明の実施の形態１におけるマイクロホンを用いた雑音抽出装置の構成を示すブロック図である。なお、以降の説明においては、時間領域の信号については信号名の頭文字を小文字とし、周波数領域の信号については信号名の頭文字を大文字として説明を行う。また、ｘｍ０（ｎ）をｘｍ０と表記し、Ｘｍ０（ω）をＸｍ０と表記して説明を行う。
【００３８】
図１に示す雑音抽出装置１００は、第１のマイクロホンユニット１１および第２のマイクロホンユニット１２を備え、第１の指向性合成部２０、第２の指向性合成部３０、第３の指向性合成部４０、第１の信号絶対値演算部７１、第２の信号絶対値演算部７２、第３の信号絶対値演算部７３および信号相殺演算部８０を備える。
【００３９】
また、第１の指向性合成部２０は、信号加算部２２および信号増幅部２３を備える。第２の指向性合成部３０は、信号遅延部３１、信号減算部３２および周波数特性補正部３３を備える。第３の指向性合成部４０は、信号遅延部４１、信号減算部４２および周波数特性補正部４３を備える。
【００４０】
第１の指向性合成部２０は、第１のマイクロホンユニット１１からの出力信号ｕｍ０と、第２のマイクロホンユニット１２からの出力信号ｕｍ１とが入力される。入力された信号ｕｍ０とｕｍ１とに対して加算型の指向性合成を行い、出力信号ｘｍ０を出力する。
【００４１】
第２の指向性合成部３０は、第１のマイクロホンユニット１１からの出力信号ｕｍ０と、第２のマイクロホンユニット１２からの出力信号ｕｍ１とが入力される。入力された信号ｕｍ０とｕｍ１とに対して音圧傾度型の指向性合成を行い、出力信号ｘｍ１を出力する。
【００４２】
第３の指向性合成部４０は、第１のマイクロホンユニット１１からの出力信号ｕｍ０と、第２のマイクロホンユニット１２からの出力信号ｕｍ１とが入力される。入力された信号ｕｍ０とｕｍ１とに対して音圧傾度型の指向性合成を行い、出力信号ｘｍ２を出力する。
【００４３】
第１の信号絶対値演算部７１は、第１の指向性合成部２０からの出力信号ｘｍ０の絶対値（以下、第１出力信号と記載。）を演算して出力する。
【００４４】
第２の信号絶対値演算部７２は、同様に、第２の指向性合成部３０からの出力信号ｘｍ１の絶対値（以下、第２出力信号と記載。）を演算して出力する。
【００４５】
第３の信号絶対値演算部７３は、同様に、第３の指向性合成部４０からの出力信号ｘｍ２の絶対値（以下、第３出力信号と記載。）を演算して出力する。
【００４６】
信号相殺演算部８０は、第１の信号絶対値演算部７１からの第１出力信号、第２の信号絶対値演算部７２からの第２出力信号、および、第３の信号絶対値演算部７３からの第３出力信号が入力される。信号相殺演算部８０は、第１出力信号と第２出力信号と第３出力信号とから、音波に対する音響信号成分を相殺する演算を行い、例えば振動雑音の雑音信号成分の出力信号ｎｖ１を出力する。
【００４７】
なお、上述した各構成部は、物理的には第１のマイクロホンユニット１１および第２のマイクロホンユニット１２の出力を受けたプロセッサ上で実行される機能として実装されてもよい。
【００４８】
以上のように、雑音抽出装置１００は構成される。
【００４９】
次に、雑音抽出装置１００の動作の説明をする。以下の説明では、振動ノイズに関して述べる。
【００５０】
まず、動作の概要を説明する。雑音抽出装置１００では、本来は音を収音するためのマイクロホンを使って、そのマイクロホンに加わる振動ノイズ成分を抽出する。具体的には、雑音抽出装置１００は、振動感度が異なり、かつ、音圧に対する指向特性と音響的中心位置とが一致している出力信号であって、指向性合成された出力信号同士を減算することで、全ての方向から到来する音波に対する信号を相殺して（音波を打ち消して）、振動ノイズ成分のみを抽出する。
【００５１】
ここで、振動感度が低い（音圧感度が高い）すなわち振動に強いマイクロホンの出力信号として、第１の指向性合成部２０からの出力信号（第１出力信号）を用いる。また、振動感度が高い（音圧感度が低い）すなわち振動に弱いマイクロホンの出力信号として第２の指向性合成部３０と第３の指向性合成部４０とからの複数の出力信号（第２出力信号と第３出力信号）を演算合成した出力信号（合成出力信号）を用いる。
【００５２】
以下、音波の打ち消しが行われ振動ノイズの抽出が行われる雑音抽出装置１００の処理について詳細に説明する。
【００５３】
第１の指向性合成部２０では、まず、信号加算部２２は、第１のマイクロホンユニット１１からの出力信号ｕｍ０と第２のマイクロホンユニット１２からの出力信号ｕｍ１とを加算した指向性合成信号を信号増幅部２３に出力する。次に、信号増幅部２３は、入力されたその指向性合成信号のゲインを調整し、指向性合成出力信号ｘｍ０を出力する。
【００５４】
なお、信号増幅部２３のゲインを１として以降の説明を行う。
【００５５】
従って、第１の指向性合成部２０からの出力信号は（数１）のように示せる。ここで、Ｘｍ０（ω）、Ｕｍ０（ω）、Ｕｍ１（ω）は、時間領域で表現される信号ｘｍ０（ｎ）、ｕｍ０（ｎ）、ｕｍ１（ｎ）を周波数領域で表現されたものである。
【００５６】
（数１）Ｘｍ０（ω）＝Ｕｍ０（ω）＋Ｕｍ１（ω）
【００５７】
次に、第２の指向性合成部３０では、第２のマイクロホンユニット１２からの出力信号ｕｍ１を、信号遅延部３１において時間τ遅延させて、信号減算部３２において第１のマイクロホンユニット１１からの出力信号ｕｍ０から減算することで、指向性を形成する。ここで、第２の指向性合成部３０で形成される指向特性は、指向軸正面が２つのマイクロホンユニット（第１のマイクロホンユニット１１および第２のマイクロホンユニット１２）を結ぶ線上において第１のマイクロホンユニット１１の方向に向いたものとなる。
【００５８】
第２の指向性合成部３０では、遅延時間τを（数２）とすることで、カーディオイド型の単一指向特性を持つように指向性を形成することができる。
【００５９】
（数２）τ＝ｄ／ｃ（ただし、ｄはマイクロホンユニット間隔、ｃは音速）
【００６０】
また、第２の指向性合成部３０では、周波数特性補正部３３は、信号減算部３２から入力された出力信号の周波数特性を補正し、出力信号ｘｍ１を出力する。ここで、補正特性として、例えば（数３）で示す特性を用いる。それにより、信号減算部３２から入力された出力信号の周波数特性、すなわち低音域にかけて６ｄＢ／ｏｃｔで減衰する音圧感度を、平坦な特性に補正することができる。
【００６１】
【数３】
2009044562.tif 000019
【００６２】
ただし、Ａは、実際にデジタルフィルタなどを用いて補正部を実現する際に発振防止のために設ける定数である。ここではＡは１に近く、かつ、１より小さな値であるとする。以降の説明では、理論上Ａ≒１と考えて、Ａ＝１として説明する。なお、実用上は、必要周波数帯域の低域限界によって設定値を決める。
【００６３】
以上から、第２の指向性合成部３０からの出力信号ｘｍ１を式で示すと（数４）になる。
【００６４】
【数４】
2009044562.tif 000020
【００６５】
なお、（数４）は、一般的な単一指向性合成を式で表したものになっている。
【００６６】
次に、第３の指向性合成部４０では、第１のマイクロホンユニット１１からの出力信号ｕｍ０を、信号遅延部４１において時間τ遅延させて、信号減算部４２において第２のマイクロホンユニット１２からの出力信号ｕｍ１から減算することで、指向性を形成する。
【００６７】
ここで、第３の指向性合成部４０で形成される指向特性は、指向軸正面が２つのマイクロホンユニット（第１のマイクロホンユニット１１および第２のマイクロホンユニット１２）を結ぶ線上において第２のマイクロホンユニット１２の方向に向いたものとなる。第３の指向性合成部４０では、第２の指向性合成部３０の場合と同様にして、遅延時間τを（数２）とすることで、カーディオイド型の単一指向性を持つように指向性を形成することができる。
【００６８】
また、第３の指向性合成部４０では、周波数特性補正部４３は、信号減算部４２から入力された出力信号の周波数特性を補正し、出力信号ｘｍ２を出力する。ここで、第２の指向性合成部３０の場合と同様にして、補正特性には（数３）を用いる。以上から、第３の指向性合成部４０からの出力信号ｘｍ２を式で示すと（数５）になる。
【００６９】
【数５】
2009044562.tif 000021
【００７０】
図２は、実施の形態１における出力信号の信号波形例と指向特性と音波に対する感度との関係を示す表である。
【００７１】
図２では、第１の指向性合成部２０からの出力信号ｘｍ０と、第２の指向性合成部３０からの出力信号ｘｍ１と、第３の指向性合成部４０からの出力信号ｘｍ２との関係とを示している。
【００７２】
ここでは、第１のマイクロホンユニット１１と第２のマイクロホンユニット１２とが配置されるマイクユニット間隔（ユニット間距離）ｄを１０ｍｍとしている。このとき、加算型の指向性合成である第１の指向性合成部２０からの出力信号ｘｍ０は、ユニット間距離ｄに比較して、波長の長い周波数帯域（例えば１ｋＨｚ）ではほぼ無指向性になる。また、その出力信号ｘｍ０の音圧感度は、加算型であるのでその絶対値は高くなる。そのため、音圧感度に対する振動感度は相対的に低くなる。図２の表の（i）の信号波形の項に、第１の指向性合成部２０からの出力信号ｘｍ０の信号波形例を示す。図中、音波を示す部分と振動ノイズが発生している部分とに矢印を付けている。
【００７３】
一方、音圧傾度型の指向性合成である第２の指向性合成部３０からの出力信号ｘｍ１は、指向性として、単一指向性を示す。また、出力信号ｘｍ１の音圧感度は、音圧傾度型（減算型）であるため絶対値は加算型に比して低くなる。そのため、音圧感度に対する振動感度は相対的に高くなる。図２の表の（ii）の信号波形の項に第２の指向性合成部３０からの出力信号ｘｍ１の信号波形例を示す。
【００７４】
出力信号ｘｍ１は、振動感度が高いため、（i）に示す出力信号ｘｍ０に比較して振動ノイズ区間の信号レベルが高くなる。
【００７５】
第３の指向性合成部４０からの出力信号ｘｍ２は、指向性として、ｘｍ１とは逆向きの単一指向性を示す。また、出力信号ｘｍ２の音圧感度は、同様に、音圧傾度型であるため低くなる。そのため、音圧感度に対する振動感度は相対的に高くなる。図２の表の（iii）の信号波形の項に第３の指向性合成部４０からの出力信号ｘｍ２の信号波形例を示す。
【００７６】
出力信号ｘｍ２は、振動感度が高いため、第２の指向性合成部３０からの出力信号ｘｍ１と同様に第３の指向性合成部４０からの出力信号ｘｍ２も、（i）に示す出力信号ｘｍ０に比較して振動ノイズ区間の信号レベルが高くなる。
【００７７】
以上の説明に基づいて、信号相殺演算部８０からの出力信号ｎｖ１を（数６）で示す。
【００７８】
なお、出力信号ｎｖ１は、出力信号ｘｍ０と、出力信号ｘｍ１と、出力信号ｘｍ２とがそれぞれ入力され、第１の信号絶対値演算部７１との第２の信号絶対値演算部７２と第３の信号絶対値演算部７３とからそれぞれ第１出力信号と第２出力信号と第３出力信号とが出力される。出力された第１出力信号と第２出力信号と第３出力信号とを信号相殺演算部８０内部の信号加算部８１および信号減算部８２により演算されて出力された信号である。
【００７９】
（数６）ｎｖ１＝｜ｘｍ１｜＋｜ｘｍ２｜−｜ｘｍ０｜
【００８０】
なお、図１に示す信号相殺演算部８０では、合成出力信号（｜ｘｍ１｜＋｜ｘｍ２｜）を得て、その後第１出力信号（｜ｘｍ０｜）を減算している。しかし、（数６）と等価な出力を得られるものであれば（数６）に示すとおり、演算の順序は問わない。
【００８１】
この演算を周波数領域で示し、上記の（数１）、（数４）および（数５）を代入すると、（数７）のようになる。
【００８２】
【数７】
2009044562.tif 000022
【００８３】
次に、この（数７）を使って、この出力信号ｎｖ１における音波に対する感度と振動に対する感度とがどのようになるかを説明する。
【００８４】
まず、音波に対する感度は、音波に対する出力信号Ｎｖ１（ω）で表せる。上述したように、第１の指向性合成部２０と第２の指向性合成部３０と第３の指向性合成部４０とによる指向性合成の方法は、指向性主ローブの極性が等しく、どれもがサイドローブを持たない合成方法である。また、音響的中心位置が２つのマイクユニットの中点で共通であることから、（数７）の絶対値内の符号（位相回転）は等しくなっている。従って、音波に対する出力信号Ｎｖ１（ω）は、絶対値を外した（数８）に等しくなる。
【００８５】
【数８】
2009044562.tif 000023
【００８６】
（数８）より、音波に対する感度が、第１の指向性合成部２０と第２の指向性合成部３０と第３の指向性合成部４０からの出力信号が相殺しあう。それにより、実施の形態１の出力信号ｎｖ１は０となることが分かる。
【００８７】
ただし、（数８）において、マイクユニット間隔ｄに対して１／２波長以下になる高域（ここでは、１７ｋＨｚ以上（ｃ／（２×ｄ）＝１７ｋＨｚ））では空間エリアジングが起き、この空間エリアジングが起きる周波数帯域では、極性の反転したサイドローブが発生するため、成り立たなくなる。ここで、空間エリアジングとは、正面方向以外の方向で音の行路差が波長の整数倍となり音が強めあい、不要な指向性が生じる現象である。従って、マイクユニット間隔ｄなどは、必要帯域によって適切な距離に設定したり、使用する周波数帯域を制限したりする必要がある。
【００８８】
次に、振動ノイズについて説明する。第１のマイクロホンユニット１１と第２のマイクロホンユニット１２とに混入する振動ノイズには、それら２つのマイクロホンユニットの出力信号間で相関があるものと相関がないものが存在する。しかし、相関があるものについては音圧傾度型の指向性合成時に、音波同様に振動成分も減衰するため大きな問題にはならない。特に問題になるのは、相関がないものである。
【００８９】
そのため、（数７）において、Ｕｍ０（ω）またはＵｍ１（ω）のどちらか一方を消去したものは、もう一方のマイクロホンユニットに起因する振動ノイズ出力であると考えることができる。
【００９０】
従って、Ｕｍ１（ω）を消去して整理すると、第１のマイクロホンユニット１１からの出力信号ｕｍ０に関する振動ノイズの出力信号は（数９）のようになる。
【００９１】
【数９】
2009044562.tif 000024
【００９２】
（数９）は第１のマイクロホンユニット１１に振動ノイズが発生した場合に、第１の指向性合成部２０から出力される振動ノイズの出力信号の量を｜Ｕｍ０（ω）｜としたときの出力信号Ｎｖ１（ω）のレベルを表している。
【００９３】
図３は、本発明の実施の形態１におけるマイクロホンユニット単体の振動ノイズレベルを基準にした振動抽出感度を示す図である。
【００９４】
図３は、（数９）の｛・｝の部分をグラフ化したものであり、低域ほど検出レベルが高まっている。
【００９５】
図３のように低域ほど検出レベルが上昇しているのは、振動感度が高く振動を拾いやすい出力信号ｘｍ１および出力信号ｘｍ２に対して、周波数特性補正部３３および４３により（数３）で示される補正特性が加わっているためである。そのため、出力信号Ｎｖ１の特性は、出力信号ｘｍ１または出力信号ｘｍ２に含まれる振動ノイズの周波数特性に近くなる。
【００９６】
以上のようにして、雑音抽出装置１００における音波に対する感度は、（数８）に示すように相殺される（音波が打ち消される）。雑音抽出装置１００に混入する振動ノイズに関しては、第１のマイクロホンユニット１１および第２のマイクロホンユニット１２で個別に発生する成分として（数９）に示すように、出力信号Ｎｖ１が振動ノイズの振幅値として得られる。
【００９７】
図２の表の（iv）の信号波形の項には、信号相殺演算部８０からの出力信号ｎｖ１の信号波形例を示されている。図２に示すように、信号相殺演算部８０からの出力信号ｎｖ１は、音波に対する感度を持つことなく（音波を打ち消して）、振動ノイズ（振動ノイズの波形振幅情報）を抽出することができる。
【００９８】
以上、本発明の実施の形態１における雑音抽出装置１００では、複数のマイクロホンユニット（第１のマイクロホンユニット１１および第２のマイクロホンユニット１２）を用いて、音波に対する収音信号の影響を受けることなく、振動ノイズ成分のみを抽出することができる。従って、複数のマイクロホンユニット（第１のマイクロホンユニット１１および第２のマイクロホンユニット１２）を用いて、それを備えるマイクロホン装置に混入する振動ノイズを打ち消す制御が高精度に行える。それにより、複数のマイクロホンユニットを備え、耐振動性に優れたマイクロホン装置が実現できる。
【００９９】
また、雑音抽出装置１００では、複数の指向性合成部（第１の指向性合成部２０と第２の指向性合成部３０と第３の指向性合成部４０）の出力値を用いて振動成分の抽出ができる。つまり、信号相殺演算部８０での合成出力信号（信号加算部出力）が、第１の指向性合成部２０の出力信号である第１出力信号に比して、音響信号に対する振動成分を、相対的に多く含むことを利用して、雑音抽出装置１００では、振動成分の抽出を行う。それにより、本来は音波を捕らえる用途であるマイクロホンデバイスを、マイクロホンの機能だけでなく振動センサとして用いることができる。
【０１００】
また、信号加算部８１からの出力信号が振動成分を抽出する属性を有する、すなわち第１出力信号と信号加算部８１からの出力信号とを減算することにより、振動成分を抽出できる。それにより、新たに専用のセンサを用いることなく本来は音波を捕らえる用途であるマイクロホンデバイスを、マイクロホンの機能だけでなく振動センサとして用いることができる。
【０１０１】
なお、信号相殺演算部８０は、（数６）に示す加算結果と等価な出力を得られるものであれば、演算の順序は問わない。
【０１０２】
また、本発明の実施の形態１では、説明を簡単にするため、第１の指向性合成部２０の出力は無指向性を示し、第２の指向性合成部３０および第３の指向性合成部４０の出力は単一指向性を示すと言う表現で説明をした。しかし、指向性パタンが一致していれば、上述した無指向性と単一指向性との組み合わせでなくても良い。例えば、本実施の形態１においても、高域限界の１７ｋＨｚ付近の周波数帯では、第１の指向性合成部２０と、第２の指向性合成部３０および第３の指向性合成部４０とからの出力信号の絶対値加算の指向性形状は無指向性ではなく双指向性形状となっているが、指向性パタンが一致していればよい。
【０１０３】
また、上述ではマイクロホン装置に混入するノイズとして、振動ノイズに着目して説明を行った。しかし、本発明の実施の形態１で説明した抽出方法は、収音した際の音波による信号を相殺してノイズのみを抽出する方法である。従って、音波とは信号の振る舞いが異なり、かつ、振動ノイズと性質が類似している、例えば風雑音に対しても同様の効果が得られる。つまり、マイクロホン装置で課題となる風雑音についても、複数のマイクロホンユニットに対して無相関に風雑音が発生することから、動作は振動雑音と共通でよく、同様に適用できる。ここで、風雑音とは、マイクロホンに風が当たって発生するノイズである。従って、新たに専用のセンサを用いることなく本来は音波を捕らえる用途であるマイクロホンデバイスを、マイクロホンの機能だけでなく風雑音センサとして用いることができる。
【０１０４】
また、本発明の実施の形態１では、マイクロホンユニットの数が２個の場合で構成される場合を説明したが、それに限定されない。３個以上となる複数マイクロホンユニットを用いて、音圧感度が異なり、かつ、指向特性パタン上で互いに信号を相殺するように（音波を打ち消して）、雑音成分のみを抽出するように、指向性合成出力を構成してもよい。
【０１０５】
（実施の形態２）
本発明の実施の形態２について、以下説明する。
【０１０６】
図４は、実施の形態２におけるマイクロホンを用いた雑音抽出装置の構成を示すブロック図である。図１と同様の要素には同一の符号を付しており、詳細な説明は省略する。
【０１０７】
図４に示す雑音抽出装置２００は、第１のマイクロホンユニット１１および第２のマイクロホンユニット１２を備え、第１の指向性合成部２０、第２の指向性合成部３０、第３の指向性合成部４０、第１の信号帯域制限部６１、第２の信号帯域制限部６２、第３の信号帯域制限部６３、第１の信号絶対値演算部７１、第２の信号絶対値演算部７２、第３の信号絶対値演算部７３および信号相殺演算部８０を備える。
【０１０８】
また、第１の指向性合成部２０は、信号加算部２２および信号増幅部２３を備える。第２の指向性合成部３０は、信号遅延部３１、信号減算部３２および周波数特性補正部３３を備える。第３の指向性合成部４０は、信号遅延部４１、信号減算部４２および周波数特性補正部４３を備える。
【０１０９】
図４に示す雑音抽出装置２００が、実施の形態１に係る雑音抽出装置１００と異なるところは、第１、第２および第３の指向性合成部２０、３０および４０と、第１、第２および第３の信号絶対値演算部７１、７２および７３とのそれぞれの間に、第１の信号帯域制限部６１、第２の信号帯域制限部６２および第３の信号帯域制限部６３を設けたところである。
【０１１０】
図４において、第１の信号帯域制限部６１は、第１の指向性合成部２０から入力された出力信号ｘｍ０に対して信号帯域を制限して出力する。
【０１１１】
同様に、第２の信号帯域制限部６２は、第２の指向性合成部３０から入力された出力信号ｘｍ１に対して信号帯域を制限して出力する。
【０１１２】
また、第３の信号帯域制限部６３は、第３の指向性合成部４０から入力された出力信号ｘｍ２に対して信号帯域を制限して出力する。
【０１１３】
他の構成要素は第１の実施の形態と同様である。第１の指向性合成部２０は、第１のマイクロホンユニット１１からの出力信号ｕｍ０と第２のマイクロホンユニット１２からの出力信号ｕｍ１とに対して加算型の指向性合成を行って出力信号ｘｍ０を出力する。第２の指向性合成部３０は、第１のマイクロホンユニット１１からの出力信号ｕｍ０と第２のマイクロホンユニット１２からの出力信号ｕｍ１とに対して音圧傾度型の指向性合成を行って出力信号ｘｍ１を出力する。第３の指向性合成部４０は、第１のマイクロホンユニット１１からの出力信号ｕｍ０と第２のマイクロホンユニット１２からの出力信号ｕｍ１とに対して音圧傾度型の指向性合成を行って出力信号ｘｍ２を出力する。
【０１１４】
また、第１の信号絶対値演算部７１は、第１の信号帯域制限部６１から入力された出力信号に対する絶対値を演算して出力する。第２の信号絶対値演算部７２は、第２の信号帯域制限部６２から入力された出力信号に対する絶対値を演算して出力する。第３の信号絶対値演算部７３は、第３の信号帯域制限部６３から入力された出力信号に対する信号の絶対値を演算して出力する。
【０１１５】
信号相殺演算部８０は、第１の信号絶対値演算部７１からの第１出力信号、第２の信号絶対値演算部７２からの第２出力信号、および第３の信号絶対値演算部７３からの第３出力信号が入力される。信号相殺演算部８０は、第１出力信号と第２出力信号と第３出力信号とを加減算処理することで、音波に対する音響信号成分の相殺を行い、振動雑音の雑音信号成分の出力信号ｎｖ１を出力する。
【０１１６】
以上のように、雑音抽出装置２００は構成される。
【０１１７】
次に、雑音抽出装置２００の動作について説明する。図４において、実施の形態１と異なるところである第１の信号帯域制限部６１、第２の信号帯域制限部６２および第３の信号帯域制限部６３について説明する。その他の構成要素については、実施の形態１と同様であるので説明を省略する。
【０１１８】
第１の信号帯域制限部６１、第２の信号帯域制限部６２および第３の信号帯域制限部６３は、振動ノイズを抽出すべき周波数帯域が限られている場合、出力する出力信号の周波数帯域に制限を行うことで、振動ノイズを抽出すべき周波数帯域から振動ノイズを抽出することができる。従って、雑音抽出装置２００は、振動ノイズが発生しない周波数帯域における、検出に妨害となる成分を除去した上で、振動ノイズを抽出することができる。それにより、雑音抽出装置２００の振動ノイズ検出感度すなわち検出精度を高めることができる。
【０１１９】
また、第１の指向性合成部２０と第２の指向性合成部３０と第３の指向性合成部４０とにおいて、例えば雑音抽出装置２００の筐体への実装上、反射や回折などの影響を受けて、指向特性が理想状態から外れる部分が存在する場合がある。その場合、第１の信号帯域制限部６１、第２の信号帯域制限部６２および第３の信号帯域制限部６３により、不具合が発生する周波数帯域を除去してから後に続く処理を行うことができる。従って、雑音抽出装置２００は、振動ノイズを抽出する際の抽出誤差を小さくすることができる。
【０１２０】
また、第１の指向性合成部２０と第２の指向性合成部３０と第３の指向性合成部４０とにおいて、特定の周波数帯域のみ音波に対する音響信号の相殺ができる指向性パタンが形成可能な状況がある。その場合、第１の信号帯域制限部６１、第２の信号帯域制限部６２および第３の信号帯域制限部６３により、特定の周波数帯域に処理を制限することができる。従って、雑音抽出装置２００は、振動ノイズを抽出する際の振動検出感度を高めることができる。
【０１２１】
以上のように、実施の形態２における雑音抽出装置２００では、実施の形態１における雑音抽出装置１００の構成では正しく動作しない要因のある周波数帯域が存在する場合でも、その周波数帯域を除去することで、振動ノイズの有無判断などをより正確に行うことができる。
【０１２２】
（実施の形態３）
本発明の実施の形態３について、以下説明する。
【０１２３】
図５は、本発明による実施の形態３のマイクロホンを用いた雑音抽出装置の構成を示すブロック図である。図１および図４と同様の要素には同一の符号を付しており、詳細な説明は省略する。
【０１２４】
図５に示す雑音抽出装置３００が、実施の形態２における雑音抽出装置１００と異なる部分は、信号復元部９０が設けられている部分である。
【０１２５】
信号復元部９０は、信号符号抽出部９１と信号乗算部９２とから構成される。信号復元部９０は、信号相殺演算部８０から出力された、振動ノイズ振幅情報を示す出力信号ｎｖ１と、第３の指向性合成部４０からの出力信号ｘｍ２とが入力され、出力信号ｎｖ２を出力する。
【０１２６】
具体的には、信号符号抽出部９１は、第３の指向性合成部４０からの出力信号ｘｍ２の信号符号を抽出する。
【０１２７】
信号乗算部９２は、信号相殺演算部８０から出力された振動ノイズ振幅情報を示す出力信号ｎｖ１と、出力信号ｘｍ２の信号符号とを乗算して、出力信号ｎｖ２を出力する。
【０１２８】
他の構成要素は第１実施の形態と同様である。第１の指向性合成部２０は、第１のマイクロホンユニット１１からの出力信号ｕｍ０と第２のマイクロホンユニット１２からの出力信号ｕｍ１とに対して加算型の指向性合成を行って出力信号ｘｍ０を出力する。第２の指向性合成部３０は、第１のマイクロホンユニット１１からの出力信号ｕｍ０と第２のマイクロホンユニット１２からの出力信号ｕｍ１とに対して音圧傾度型の指向性合成を行い、出力信号ｘｍ１を出力する。第３の指向性合成部４０は、第１のマイクロホンユニット１１からの出力信号と第２のマイクロホンユニット１２からの出力信号とに対して音圧傾度型の指向性合成を行い、出力信号ｘｍ２を出力する。
【０１２９】
また、第１の信号絶対値演算部７１は、第１の指向性合成部２０から入力された出力信号ｘｍ０の絶対値を演算して出力する。第２の信号絶対値演算部７２は、第２の指向性合成部３０から入力された出力信号ｘｍ１の絶対値を演算して出力する。第３の信号絶対値演算部７３は、第３の指向性合成部４０から入力された出力信号ｘｍ２の絶対値を演算して出力する。
【０１３０】
信号相殺演算部８０は、第１の信号絶対値演算部７１からの第１出力信号、第２の信号絶対値演算部７２からの第２出力信号、および第３の信号絶対値演算部７３からの第３出力信号が入力される。信号相殺演算部８０は、第１出力信号と第２出力信号と第３出力信号とを加減算処理することで、音波に対する音響信号成分の相殺を行い、例えば振動雑音の雑音信号成分の出力信号ｎｖ１を出力する。
【０１３１】
以上のように、雑音抽出装置３００は構成される。
【０１３２】
次に、雑音抽出装置３００の動作について説明する。図５において、実施の形態１と異なるところである信号復元部９０について説明する。その他の構成要素については、実施の形態１と同様であるので説明を省略する。
【０１３３】
信号復元部９０は、信号符号抽出部９１と信号乗算部９２とから構成される。信号相殺演算部８０からの出力信号ｎｖ１は、振動感度が高い第２の指向性合成部３０と第３の指向性合成部４０とからの、出力信号ｘｍ１と出力信号ｘｍ２との振動ノイズ成分が抽出されていると考えることができる。これは、信号相殺演算部８０が、（数６）に示す演算を行った結果、図２の表の（iv）に示す信号波形が得られ、値が正の方向のみに振れていることからも分かる。
【０１３４】
また、出力信号ｘｍ１および出力信号ｘｍ２に含まれる振動ノイズとして、例えば、ｕｍ０に加わった振動ノイズの信号を図５に示すブロック構成上で追ってゆく場合、ｘｍ１には遅延なしで振動ノイズの信号が現れ、ｘｍ２には時間τの遅延を持って、かつ、逆位相で振動ノイズの信号が現れる。
【０１３５】
出力信号ｘｍ１および出力信号ｘｍ２は、第２の信号絶対値演算部７２および第３の信号絶対値演算部７３で絶対値がとられ、信号加算部８１で加算される。そのため、信号加算部８１が出力する信号（｜ｘｍ１｜＋｜ｘｍ２｜）に含まれる振動ノイズは、各信号に含まれる振動ノイズのほぼ２倍の値になる。
【０１３６】
一方、第１の指向性合成部２０からの出力信号ｍｘ０は、振動感度が低い。そのため、信号相殺演算部８０からの出力には、出力信号ｘｍ１または出力信号ｘｍ２に混入する振動ノイズの２倍の振幅情報が得られており、正負の符号を加えることで、振動ノイズの波形を復元することができる。
【０１３７】
ここで、信号相殺演算部８０では、信号減算部８２によって、信号加算部８１で加算された信号（｜ｘｍ１｜＋｜ｘｍ２｜）から、信号｜ｘｍ０｜を減算される。信号｜ｘｍ０｜に含まれる振動ノイズの値は小さいため、減算結果得られる出力信号ｎｖ１に含まれる振動ノイズは、信号（｜ｘｍ１｜＋｜ｘｍ２｜）に含まれる振動ノイズとほぼ同じになる。
【０１３８】
また、出力信号ｘｍ２は振動感度の高い指向性合成出力信号であるため、振動ノイズ発生区間では、振動ノイズ波形の正負符号を強く反映している。
【０１３９】
従って、信号復元部９０では、振動ノイズの振幅情報であるｎｖ１にｘｍ２から抽出した正負の符号を乗じることで、振動ノイズの波形を擬似的に復元することができる。
【０１４０】
以上のようにして、実施の形態３における雑音抽出装置３００では、複数のマイクロホンユニット（第１のマイクロホンユニット１１および第２のマイクロホンユニット１２）から音波に対する収音信号の影響を受けることなく、振動ノイズ波形を抽出することができる。従って、複数のマイクロホンユニット（第１のマイクロホンユニット１１および第２のマイクロホンユニット１２）を用いて、それを備えるマイクロホンに混入する振動ノイズをキャンセル（振動ノイズを打ち消す制御）または振動ノイズ成分を抑圧する処理が高精度に行える。それにより、複数のマイクロホンユニットを備え、耐振動性に優れたマイクロホン装置が実現できるようになる。また、新たに専用のセンサを用いることなく、本来は音波を捕らえる用途であるマイクロホンデバイスをマイクロホンの機能だけでなく振動センサとして用いることができる。
【０１４１】
（実施の形態４）
本発明の実施の形態４について、以下説明する。
【０１４２】
図６は、実施の形態４のマイクロホンを用いた雑音抽出装置の構成を示すブロック図である。図５と同様の要素には同一の符号を付しており、詳細な説明は省略する。
【０１４３】
図６に示す雑音抽出装置４００は、実施の形態３の雑音抽出装置３００に対して、次の点が異なる。第１に、第１の指向性合成部２０、第２の指向性合成部３０および第３の指向性合成部４０の後段に、それぞれ第１の時間周波数変換部５１、第２の時間周波数変換部５２および第３の時間周波数変換部５３が設けられている点である。第２に、信号復元部９０が信号復元部９００の構成になる点が異なる。すなわち、実施の形態３の信号復元部９０は、信号符号抽出部９１と信号乗算部９２とから構成されるのに対し、図６に示す信号復元部９００は、信号位相抽出部９３と信号振幅位相合成部９４と周波数時間変換部９５とから構成される。また、信号復元部９００は、周波数領域の信号に変換された出力信号において、振幅情報と位相情報とから、周波数ごとにスペクトルを推定した出力信号を、周波数時間変換部９５によって時間領域の信号に変換した出力信号ｎｖ２を出力する。
【０１４４】
他の構成要素は実施の形態３と同様である。第１の指向性合成部２０は、第１のマイクロホンユニット１１からの出力信号ｕｍ０と第２のマイクロホンユニット１２からの出力信号ｕｍ１とに対して加算型の指向性合成を行い、出力信号ｘｍ０を出力する。第２の指向性合成部３０は、第１のマイクロホンユニット１１からの出力信号ｕｍ０と第２のマイクロホンユニット１２からの出力信号ｕｍ１とに対して音圧傾度型の指向性合成を行い、出力信号ｘｍ１を出力する。第３の指向性合成部４０は、第１のマイクロホンユニット１１からの出力信号ｕｍ０と第２のマイクロホンユニット１２からの出力信号ｕｍ１とに対して音圧傾度型の指向性合成を行い、出力信号ｘｍ２を出力する。
【０１４５】
また、第１の時間周波数変換部５１は、第１の指向性合成部２０からの出力信号ｘｍ０を時間領域から周波数領域へ変換する。同様に、第２の時間周波数変換部５２は、第２の指向性合成部３０からの出力信号ｘｍ１を時間領域から周波数領域へ変換する。第３の時間周波数変換部５３は、第３の指向性合成部４０からの出力信号ｘｍ２を時間領域から周波数領域へ変換する。なお、図中、第１の時間周波数変換部５１、第１の時間周波数変換部５１および第１の時間周波数変換部５１をＦＦＴ（Ｆａｓｔ  Ｆｏｕｒｉｅｒ  Ｔｒａｎｓｆｏｒｍ）として表記している。
【０１４６】
また、第１の信号絶対値演算部７１は、第１の時間周波数変換部５１から入力された出力信号Ｘｍ０の周波数成分毎の絶対値を演算して出力する。第２の信号絶対値演算部７２は、第２の時間周波数変換部５２から入力された出力信号Ｘｍ１の周波数成分毎の絶対値を演算して出力する。第３の信号絶対値演算部７３は、第３の時間周波数変換部５３から入力された出力信号Ｘｍ２の周波数成分毎の絶対値を演算して出力する。
【０１４７】
信号相殺演算部８０は、第１の信号絶対値演算部７１からの第１出力信号｜Ｘｍ０｜、第２の信号絶対値演算部７２からの第２出力信号｜Ｘｍ１｜、および第３の信号絶対値演算部７３からの第３出力信号｜Ｘｍ２｜が入力される。信号相殺演算部８０は、第１出力信号｜Ｘｍ０｜と第２出力信号｜Ｘｍ１｜と第３出力信号｜Ｘｍ２｜とを加減算処理することで、音波に対する音響信号成分の相殺を行い、例えば振動雑音の雑音信号成分の出力信号Ｎｖ１を出力する。
【０１４８】
信号復元部９００は、信号位相抽出部９３と信号振幅位相合成部９４と周波数時間変換部９５とから構成される。信号復元部９００は、信号相殺演算部８０から出力された振動ノイズ振幅情報を示す出力信号Ｎｖ１と、第３の指向性合成部４０からの出力信号Ｘｍ２とが入力され、出力信号ｎｖ２を出力する。
【０１４９】
具体的には、信号位相抽出部９３は、第３の指向性合成部４０からの出力信号Ｘｍ２の信号位相を抽出する。
【０１５０】
信号振幅位相合成部９４は、信号相殺演算部８０から出力された振動ノイズの振幅スペクトル情報を示す出力信号Ｎｖ１と、指向性出力信号ｘｍ２のスペクトルを示す出力信号Ｘｍ２の信号位相とを乗算合成して、スペクトルを示す出力信号Ｎｖ２を出力する。
【０１５１】
周波数時間変換部９５は、信号振幅位相合成部９４から出力されたスペクトルを示す出力信号Ｎｖ２を、時間信号に変換して出力信号ｎｖ２を出力する。なお、図中、周波数時間変換部９５はＩＦＦＴ（Ｉｎｖｅｒｓｅ  Ｆａｓｔ  Ｆｏｕｒｉｅｒ  Ｔｒａｎｓｆｏｒｍ）と表記されている。
【０１５２】
以上のように、雑音抽出装置４００は構成される。
【０１５３】
次に、雑音抽出装置４００の動作について説明する。
【０１５４】
図６において、実施の形態３と異なるところである第１の時間周波数変換部５１、第２の時間周波数変換部５２、第３の時間周波数変換部５３および信号復元部９００について説明する。雑音抽出装置４００は、第１の時間周波数変換部５１と、第２の時間周波数変換部５２と、第３の時間周波数変換部５３とおよび信号復元部９００とによって、周波数領域で周波数ごとに、振幅情報と位相情報とから出力信号スペクトルを推定することによって、出力信号ｎｖ２を得ている。その他の構成要素については、実施の形態１と同様であるので説明を省略する。
【０１５５】
なお、上述した実施の形態３の雑音抽出装置３００においての課題は、信号符号抽出部９１において、ｘｍ２の信号波形から振動ノイズ波形復元のための信号符号を得ている点にある。すなわち、ｘｍ２には音波による音響信号成分と振動ノイズの成分とが混在しているため、音波の影響を受けて振動ノイズ波形復元のために用いる信号符号情報に誤差を生む場合がある。
【０１５６】
それに対して、実施の形態４の雑音抽出装置４００では、音波の成分を相殺して振動ノイズ振幅成分を推定する処理と、信号位相抽出部９３での位相情報を抽出する処理とを、周波数成分毎に行う。それによって、特に位相情報を抽出する部分での信号の重畳（音波と振動）による誤差が軽減されるので、振動ノイズ波形復元の精度が改善できる。
【０１５７】
以上のようにして、実施の形態４における雑音抽出装置４００では、複数のマイクロホンユニット（第１のマイクロホンユニット１１および第２のマイクロホンユニット１２）から音波に対する収音信号の影響を受けることなく、振動ノイズ波形の抽出を高精度に行える。それにより、複数のマイクロホンユニット（第１のマイクロホンユニット１１および第２のマイクロホンユニット１２）を用いて、それを備えるマイクロホン装置に混入する振動ノイズをキャンセル（振動ノイズを打消す制御）または振動ノイズ成分を抑圧する処理を行う精度（性能）が改善される。従って、複数のマイクロホンユニットを備え、耐振動性に優れたマイクロホン装置が実現できるようになる。さらに、振動センサとして用いる場合でも音波の影響を受けにくく振動ノイズを検出する精度が改善できる効果が得られる。
【０１５８】
（実施の形態５）
本発明の実施の形態５について、以下説明する。
【０１５９】
図７は、実施の形態５における雑音抽出装置３００を用いたマイクロホン装置の構成を示すブロック図である。図６と同様の要素には同一の符号を付しており、詳細な説明は省略する。
【０１６０】
図７に示すマイクロホン装置５００は、実施の形態４の雑音抽出装置４００と異なる部分は、信号遅延部９７と信号増幅部９８と信号減算部９９とが新たに設けられた点である。他の構成要素は実施の形態４と同様である。
【０１６１】
第１の指向性合成部２０は、第１のマイクロホンユニット１１からの出力信号ｕｍ０と第２のマイクロホンユニット１２からの出力信号ｕｍ１とに対して加算型の指向性合成を行い、出力信号ｘｍ０を出力する。第２の指向性合成部３０は、第１のマイクロホンユニット１１からの出力信号ｕｍ０と第２のマイクロホンユニット１２からの出力信号ｕｍ１とに対して音圧傾度型の指向性合成を行い、出力信号ｘｍ１を出力する。第３の指向性合成部４０は、第１のマイクロホンユニット１１からの出力信号ｕｍ０と第２のマイクロホンユニット１２からの出力信号ｕｍ１とに対して音圧傾度型の指向性合成を行い、出力信号ｘｍ２を出力する。
【０１６２】
また、第１の時間周波数変換部５１は、第１の指向性合成部２０からの出力信号ｘｍ０を時間領域から周波数領域へ変換する。同様に、第２の時間周波数変換部５２は、第２の指向性合成部３０からの出力信号ｘｍ１を時間領域から周波数領域へ変換する。第３の時間周波数変換部５３は、第３の指向性合成部４０からの出力信号ｘｍ２を時間領域から周波数領域へ変換する。
【０１６３】
また、第１の信号絶対値演算部７１は、第１の時間周波数変換部５１から入力された出力信号Ｘｍ０の周波数成分毎の絶対値を演算して出力する。第２の信号絶対値演算部７２は、第２の時間周波数変換部５２から入力された出力信号Ｘｍ１の周波数成分毎の絶対値を演算して出力する。第３の信号絶対値演算部７３は、第３の時間周波数変換部５３から入力された出力信号Ｘｍ２の周波数成分毎の絶対値を演算して出力する。
【０１６４】
信号相殺演算部８０は、第１の信号絶対値演算部７１からの第１出力信号｜Ｘｍ０｜、第２の信号絶対値演算部７２からの第２出力信号｜Ｘｍ１｜、および第３の信号絶対値演算部７３からの第３出力信号｜Ｘｍ２｜が入力される。信号相殺演算部８０は、第１出力信号｜Ｘｍ０｜と第２出力信号｜Ｘｍ１｜と第３出力信号｜Ｘｍ２｜とを加減算処理することで、音波に対する音響信号成分の相殺を行い、例えば振動雑音の雑音信号成分の出力信号Ｎｖ１を出力する。
【０１６５】
信号復元部９００は、信号位相抽出部９３と信号振幅位相合成部９４と周波数時間変換部９５とから構成される。信号復元部９００は、信号相殺演算部８０から出力された振動ノイズ振幅情報を示す出力信号Ｎｖ１と、第３の指向性合成部４０からの出力信号Ｘｍ２とが入力され、出力信号ｎｖ２を出力する。
【０１６６】
具体的には、信号位相抽出部９３は、第３の指向性合成部４０からの出力信号Ｘｍ２の信号位相を抽出する。
【０１６７】
信号振幅位相合成部９４は、信号相殺演算部８０から出力された振動ノイズの振幅スペクトル情報を示す出力信号Ｎｖ１と、指向性出力信号ｘｍ２のスペクトルを示す出力信号Ｘｍ２の信号位相とを乗算合成して、スペクトルを示す出力信号Ｎｖ２を出力する。
【０１６８】
周波数時間変換部９５は、信号振幅位相合成部９４から出力されたスペクトルを示す出力信号Ｎｖ２を、時間信号に変換して出力信号ｎｖ２を出力する。
【０１６９】
信号遅延部９７は、第３の指向性合成部４０からの出力信号ｘｍ２が入力され、入力された信号ｘｍ２を遅延させて出力する。
【０１７０】
信号増幅部９８は、周波数時間変換部９５からの出力信号ｎｖ２が入力され、入力された信号ｎｖ２の出力レベルを調整して出力する。
【０１７１】
信号減算部９９は、信号遅延部９７からの信号と、信号増幅部９８で出力レベルが調整された出力信号ｎｖ２とが入力され、入力されたそれら信号を減算して出力する。
【０１７２】
以上のようにマイクロホン装置５００は構成される。
【０１７３】
次に、マイクロホン装置５００の動作について説明する。
【０１７４】
図７において、実施の形態４と異なる部分である信号遅延部９７と信号増幅部９８と信号減算部９９とについて説明する。その他の構成要素については、実施の形態４と同様であるので説明を省略する。
【０１７５】
信号復元部９００から出力される抽出される振動ノイズ波形を示す出力信号ｎｖ２は、第３の指向性合成部４０からの指向性信号出力ｘｍ２に含まれる振動ノイズとなっている。
【０１７６】
出力信号ｎｖ２は、ＦＦＴ（第１の時間周波数変換部５１、第２の時間周波数変換部５２および第３の時間周波数変換部５３）とＩＦＦＴ（周波数時間変換部９５）とを使って時間周波数変換および周波数時間変換の処理時間分遅延している。そのため、信号遅延部９７では、第３の指向性合成部４０からの出力信号ｘｍ２を遅延させて、処理時間分の時間補正を行う。
【０１７７】
このように位相を合わせた状態で信号減算部９９で減算することで、信号減算部９９からの出力信号は、振動ノイズが打ち消された指向性マイクロホン出力（目的の音波の収音信号）となる。
【０１７８】
なお、推定振動ノイズ信号を示す出力信号ｎｖ２は、前述したようにｘｍ２に含まれる振動ノイズ波形の２倍の振幅を示すので、信号増幅部９８では、０．５倍の信号増幅を行っている。
【０１７９】
以上のように、実施の形態５におけるマイクロホン装置５００では、目的の音波をセンシングするための複数のマイクロホンユニット（第１のマイクロホンユニット１１および第２のマイクロホンユニット１２）を用いて、マイクロホンユニットに混入する振動ノイズと、音波に対する音響信号とを分離して出力できる。それにより、複数のマイクロホンユニットを備え、耐振動に優れたマイクロホン装置が実現できるようになる。さらに、そのマイクロホン装置に振動センサの役割を担う機能を同時に実現することができる。
【０１８０】
以上のように、本発明は、複数のマイクロホンユニットの出力を用いて指向性形成を演算する。その演算結果（特には、相反する方向への指向性出合成出力の合成出力信号）がマイクロホン装置に混入する振動成分を相対的に多く含み、振動成分の検出にも利用できるという属性を利用している。それにより、目的の音波を収音する目的で設けられた複数のマイクロホンユニットが、振動センサとしても併用できる。つまり、本発明によれば、新たに専用のセンサを用いることなく、本来は音波を捕えるマイクロホンデバイスを用いてマイクロホン装置に混入する振動ノイズを抽出し、抽出した振動ノイズを除去することで、耐振動に優れたマイクロホン装置が実現できる。
【０１８１】
なお、上述したマイクロホン装置５００を機能構成で示して説明する。
【０１８２】
図８は、本発明の実施の形態５におけるマイクロホン装置の機能構成を示すブロック図である。
【０１８３】
図８で示すマイクロホン装置６００は、マイクロホン装置５００に相当し、音を収音するための第１のマイクロホンユニット１１および第２のマイクロホンユニット１２を備える。また、マイクロホン装置６００は、指向性合成部１２０および１５０と、音響相殺部１８０と信号復元部１９０と、音響出力部１９９とを備える。
【０１８４】
指向性合成部１２０および１５０とは、第１のマイクロホンユニット１１および第２のマイクロホンユニット１２からの出力信号を指向性合成して、雑音感度が異なるが、音圧に対する指向特性が一致し、かつ、音響的中心位置が一致する２つの指向性合成信号を生成する。指向性合成部１２０は、振動に強い合成を行い、指向性合成部１５０は振動に弱い合成を行う。
【０１８５】
また、音響相殺部１８０は、２つの指向性合成信号の一方から他方を減算することで、前記一方の指向性合成信号から、音響成分を打ち消すことにより、雑音成分を抽出する。音響相殺部１８０は、抽出された前記雑音成分を示す出力信号を出力する。
【０１８６】
信号復元部１９０は、音響相殺部１８０からの出力信号と、指向性合成部１２０および１５０の何れかからの出力信号とから、雑音波形信号を復元して出力する。
【０１８７】
音響出力部１９９は、指向性合成部１５０からの出力信号から、音響相殺部１８０により抽出され信号復元部１９０で復元された雑音波形信号を減算することにより振動抑圧された音響信号を出力する。
【０１８８】
以上のように、マイクロホン装置６００は、振動抑圧された音響信号すなわち振動ノイズが打ち消された指向性マイクロホン出力（目的の音波の収音信号）を出力することができる。
【０１８９】
以上、本発明によれば、音波を収音するマイクロホン装置に、新たに振動センサを追加することなく雑音を抽出する雑音抽出装置を実現することができる。
【０１９０】
なお、本発明の実施の形態１〜４では、第３の指向性合成部４０からの指向性信号出力ｘｍ２に含まれる振動ノイズを打ち消す処理を行う最も単純な構成である減算手段の例を説明した。しかし、例えば主信号にｘｍ２、参照信号にｎｖ２として、パワスペクトルの領域で処理を行う２入力型の雑音抑圧手段を用いてもよく、適応フィルタを有するキャンセラを用いても良い。
【０１９１】
また、本発明の実施の形態１〜４で説明した数々の部は、装置が予め保持している種々のコンピュータプログラムがハードウェアとしての１つあるいは複数のプロセッサ上で実行されることによって実現されてもよい。
【０１９２】
また、上述の第１の指向性合成部２０からの第１出力信号、並びに、第２の指向性合成部３０からの第２出力信号および第３の指向性合成部４０からの第３出力信号に基づいて導出される合成出力信号の指向性パタンは、特に単一の方向に対する指向性を形成するものに限られず無指向性を形成するものでよい。共に、同一のパタンであって、合成出力信号に含まれる振動レベルの音響信号レベルに対する相対比が、第１出力信号に含まれる振動レベルの音響信号レベルに対する相対比より大きければよい。
【０１９３】
（その他変形例）
なお、本発明を上記実施の形態および変形例に基づいて説明してきたが、本発明は、上記の実施の形態に限定されないのはもちろんである。以下のような場合も本発明に含まれる。
【０１９４】
（１）上記、マイクロホンユニットを除く各処理部（指向性合成部、信号絶対値演算部、信号相殺演算部等）は、具体的には、マイクロプロセッサ、ＲＯＭ、ＲＡＭ、などから構成されるコンピュータシステムとして実装される。ＲＡＭには、コンピュータプログラムが記憶されている。
【０１９５】
マイクロプロセッサが、コンピュータプログラムに従って動作することにより、各装置および各構成部は、その機能を達成する。ここでコンピュータプログラムは、所定の機能を達成するために、コンピュータに対する指令を示す命令コードが複数個組み合わされて構成されたものである。
【０１９６】
（２）上記の各装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしてもよい。
【０１９７】
システムＬＳＩは、複数の構成部を１個のチップ上に集積して製造された超多機能ＬＳＩである。具体的には、マイクロプロセッサ、ＲＯＭ、ＲＡＭなどを含んで構成されるコンピュータシステムである。ＲＡＭには、コンピュータプログラムが記憶されている。
【０１９８】
マイクロプロセッサが、コンピュータプログラムに従って動作することにより、システムＬＳＩは、その機能を達成する。
【０１９９】
（３）上記の各装置を構成する構成要素の一部または全部は、各装置に脱着可能なＩＣカードまたは単体のモジュールから構成されているとしてもよい。
【０２００】
ＩＣカードまたはモジュールは、マイクロプロセッサ、ＲＯＭ、ＲＡＭなどから構成されるコンピュータシステムである。ＩＣカードまたはモジュールは、上記の超多機能ＬＳＩを含むとしてもよい。
【０２０１】
マイクロプロセッサが、コンピュータプログラムに従って動作することにより、ＩＣカードまたはモジュールは、その機能を達成する。このＩＣカードまたはこのモジュールは、耐タンパ性を有するとしてもよい。
【０２０２】
（４）本発明は、上記に示す方法であるとしてもよい。また、これらの方法をコンピュータにより実現するコンピュータプログラムであるとしてもよいし、コンピュータプログラムからなるデジタル信号であるとしてもよい。
【０２０３】
また、本発明は、コンピュータプログラムまたはデジタル信号をコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなどに記録したものとしてもよい。また、これらの記録媒体に記録されているデジタル信号であるとしてもよい。
【０２０４】
また、本発明は、コンピュータプログラムまたはデジタル信号を、電気通信回線、無線または有線通信回線、インターネットを代表とするネットワーク、データ放送等を経由して伝送するものとしてもよい。
【０２０５】
また、本発明は、マイクロプロセッサとメモリを備えたコンピュータシステムであって、メモリは、コンピュータプログラムを記憶しており、マイクロプロセッサは、前記コンピュータプログラムに従って動作するとしてもよい。
【０２０６】
また、プログラムまたはデジタル信号を記録媒体に記録して移送することにより、または、プログラムまたはデジタル信号をネットワーク等を経由して移送することにより、独立した他のコンピュータシステムにより実施するとしてもよい。
【０２０７】
（５）上記実施の形態および上記変形例をそれぞれ、組み合わせる構成としてもよい。
【産業上の利用可能性】
【０２０８】
本発明は、振動ノイズ抽出装置または風雑音抽出装置等の雑音抽出装置に利用できるだけでなく、耐振動性や耐風雑音性能に優れたマイクロホン装置としても利用できる。
【０２０９】
特に、指向性マイクロホンを用いるマイクロホン装置に振動ノイズ抽出装置および風雑音抽出装置を兼用させることで、図９に示すようなビデオムービー７００において、耐振動性や耐風雑音性能に優れたマイクロホン装置として利用できる。さらに、複数マイクロホンからの信号を使って信号合成で出力を得る収音方法において、振動ノイズや風雑音の上昇を抑え、耐振動性や耐風雑音性能に優れたマイクロホン装置として利用できるので、一般のマイクロホンの他に、ウェアラブル機器における収音、拡声システム一体型収音システム、カムコーダ、可動部を有する機器に内蔵のマイクなどの振動ノイズや風雑音が課題になる機器に利用できる。
【０２１０】
また、マイクロホンの信号から振動のみを精度良く検知できるので、振動センサや複合センサとして利用できる。
【符号の説明】
【０２１１】
４、３２、４２、８２、９９    信号減算部
１１    第１のマイクロホンユニット
１２    第２のマイクロホンユニット
２０    第１の指向性合成部
２２、８１    信号加算部
２３、９８    信号増幅部
３０    第２の指向性合成部
３１、４１、９７    信号遅延部
３３、４３    周波数特性補正部
４０    第３の指向性合成部
５１    第１の時間周波数変換部
５２    第２の時間周波数変換部
５３    第３の時間周波数変換部
６１    第１の信号帯域制限部
６２    第２の信号帯域制限部
６３    第３の信号帯域制限部
７１    第１の信号絶対値演算部
７２    第２の信号絶対値演算部
７３    第３の信号絶対値演算部
８０    信号相殺演算部
９０、９００    信号復元部
９１    信号符号抽出部
９２    信号乗算部
９３    信号位相抽出部
９４    信号振幅位相合成部
９５    周波数時間変換部
１００、２００、３００、４００   雑音抽出装置
５００、６００、８００    マイクロホン装置
【手続補正２】
【補正対象書類名】特許請求の範囲
【補正対象項目名】全文
【補正方法】変更
【補正の内容】
【特許請求の範囲】
【請求項１】
空間的に異なる位置に設けられ、音を収音するための第１および第２のマイクロホンユニットと、
前記第１および第２のマイクロホンユニットからの出力信号を指向性合成して、雑音感度が異なるが、音圧に対する指向特性が一致し、かつ、音響的中心位置が一致する、２つの指向性合成信号を生成する指向性合成部と、
前記２つの指向性合成信号の一方から他方を減算することで、前記一方の指向性合成信号から、音響成分を打ち消すことにより、雑音成分を抽出する音響相殺部とを備える
雑音抽出装置。
【請求項２】
前記指向性合成部は、前記第１と第２のマイクロホンユニットからの出力信号を指向性合成する第１、第２および第３の指向性合成部と、前記第１、第２および第３の指向性合成部それぞれからの出力信号を絶対値演算して絶対値信号を出力する第１、第２および第３の信号絶対値部とを備え、
音響相殺部は、前記第１の信号絶対値部から出力された絶対値信号を前記他方の指向性合成信号として取得し、前記第２および第３の信号絶対値部から出力された絶対値信号から前記一方の指向性合成信号を生成し、前記一方の指向性合成信号から前記他方の指向性合成信号を減算することによって、前記音響成分を打ち消す相殺演算部とを備える
請求項１記載の雑音抽出装置。
【請求項３】
前記第２および第３の指向性合成部は、前記第１の指向性合成部に比較して、前記雑音成分に対する感度が高い、または、前記音響成分に対する感度が低い
請求項２記載の雑音抽出装置。
【請求項４】
前記第２および第３の指向性合成部は、音圧傾度型の指向性合成方法に従い、それぞれの出力信号が持つ指向性パタンが相反する方向になるよう指向性合成し、
前記第２および第３の指向性合成部それぞれからの出力信号が持つ指向性パタンの和と前記第１の指向性合成部からの出力信号が持つ指向性パタンとは等しい
請求項２記載の雑音抽出装置。
【請求項５】
前記第１の指向性合成部は、前記第１および第２のマイクロホンユニットからの出力信号を信号加算することにより加算型の指向性合成を行い、
前記第２の指向性合成部は、前記第２のマイクロホンユニットからの出力信号に所定の遅延を与え、第１のマイクロホンユニットの出力信号から減算することにより音圧傾度型の指向性合成を行い、
前記第３の指向性合成部は、前記第１のマイクロホンユニットからの出力信号に所定の遅延を与え、第２のマイクロホンユニットの出力信号から減算することにより音圧傾度型の指向性合成を行う
請求項２記載の雑音抽出装置。
【請求項６】
前記雑音抽出装置は、さらに、
前記第１、第２および第３の指向性合成部それぞれからの出力信号の信号帯域を制限して第１、第２および第３の信号絶対値演算部にそれぞれに出力する第１、第２および第３の信号帯域制限部を備える
請求項２記載の雑音抽出装置。
【請求項７】
前記音響相殺部は、抽出された前記雑音成分を示す出力信号を出力し、
前記雑音抽出装置は、さらに、
前記音響相殺部からの出力信号と、前記第１、第２および第３の指向性合成部の何れかからの出力信号とから、雑音波形信号を復元して出力する信号復元部を備える
請求項２記載の雑音抽出装置。
【請求項８】
前記信号復元部は、前記第１、第２および第３の指向性合成部の何れかからの出力信号の符号と、前記信号相殺演算部からの出力信号との乗算によって雑音波形信号を復元する
請求項７記載の雑音抽出装置。
【請求項９】
前記雑音抽出装置は、さらに、
前記第１、第２および第３の指向性合成部の前段または後段部分に、時間領域から周波数領域への変換を行う時間周波数変換部を備え、
前記信号相殺演算部は、周波数毎に、前記雑音信号を抽出する
請求項２記載の雑音抽出装置。
【請求項１０】
前記雑音抽出装置は、さらに、前記信号相殺演算部からの出力信号と、前記第１、第２および第３の指向性合成部の何れかからの出力信号とから、雑音波形信号を復元して出力する信号復元部を備え、
前記信号復元部は、前記第１、第２および第３の指向性合成部の何れかからの出力信号の周波数毎の位相情報と、前記信号相殺演算部からの出力信号の周波数毎の振幅情報とを用いて、雑音波形信号を復元する
請求項９記載の雑音抽出装置。
【請求項１１】
前記雑音抽出装置は、振動センサとして構成される
請求項１記載の雑音抽出装置。
【請求項１２】
前記雑音抽出装置は、前記一方の指向性合成信号から音響成分を抽出する
請求項１１記載の雑音抽出装置。
【請求項１３】
請求項１に記載の雑音抽出装置と、
前記第１および第２のマイクロホンユニットからの出力信号から、前記雑音抽出装置により抽出された前記雑音信号の成分を減算することにより雑音抑圧された音響信号を出力する音響出力部とを備える
マイクロホン装置。
【請求項１４】
空間的に異なる位置に設けられ、音を収音するための第１および第２のマイクロホンユニットを備える雑音抽出装置の雑音抽出方法であって、
前記第１および第２のマイクロホンユニットからの出力信号を指向性合成して、雑音感度が異なるが、音圧に対する指向特性が一致し、かつ、音響的中心位置が一致する、２つの指向性合成信号を生成する指向性合成ステップと、
前記２つの指向性合成信号の一方から他方を減算することで、前記一方の指向性合成信号から、音響成分を打ち消すことにより、雑音成分を抽出する音響相殺ステップとを含む
雑音抽出方法。
【請求項１５】
空間的に異なる位置に設けられ、音を収音するための第１および第２のマイクロホンユニットを備え、雑音成分を抽出する集積回路であって、
前記第１および第２のマイクロホンユニットからの出力信号を指向性合成して、雑音感度が異なるが、音圧に対する指向特性が一致し、かつ、音響的中心位置が一致する、２つの指向性合成信号を生成する指向性合成部と、
前記２つの指向性合成信号の一方から他方を減算することで、前記一方の指向性合成信号から、音響成分を打ち消すことにより、雑音成分を抽出する音響相殺部とを備える
集積回路。
【請求項１６】
請求項１３に記載のマイクロホン装置と、
対象物を撮像するカメラ部と
を備える
ビデオカメラ。
【手続補正３】
【補正対象書類名】図面
【補正対象項目名】全図
【補正方法】変更
【補正の内容】
【図１】
2009044562.tif 000025
【図２】
2009044562.tif 000026
【図３】
2009044562.tif 000027
【図４】
2009044562.tif 000028
【図５】
2009044562.tif 000029
【図６】
2009044562.tif 000030
【図７】
2009044562.tif 000031
【図８】
2009044562.tif 000032
【図９】
2009044562.tif 000033
【図１０】
2009044562.tif 000034
【国際調査報告】
2009044562.tif 000035
2009044562.tif 000036
2009044562.tif 000037
2009044562.tif 000038